(57)【要約】      （修正有）【課題】一体型の内側ロック構造を有する、資産を保管するロック可能な容器およびその利用方法を提供する。【解決手段】ロック可能な容器は、資産にアクセスすることができる開放位置と資産を入れる閉鎖位置との間を移動するように構成された第１および第２カバーを含んでもよい。ロック可能な容器のロック構造は、第１および第２カバーの少なくとも一方に動作可能となるように結合されたロック部材対応装置（ｌｏｃｋ  ｍａｔｅ  ａｒｒａｎｇｅｍｅｎｔ）およびロック解除位置とロック位置との間で移動するように構成されたロック部材を含んでもよい。全ロック部材は、ロック部材がロック解除位置にある場合、容器に内在してもよい。磁気キー装置（ｍａｇｎｅｔｉｃ  ｋｅｙ  ａｒｒａｎｇｅｍｅｎｔ）は、ロック部材と相互作用してロック解除位置とロック位置との間においてロック部材を移動させる。【選択図】図２
0003137065.tif 000002
【実用新案登録請求の範囲】
【請求項１】
資産を保管するロック可能な容器において、
第１カバー、
第１カバーと結合され、第１カバーおよび第２カバーは、資産にアクセスできる開放位置と資産を入れる閉鎖位置との間を移動するように構成される第２カバー、
第１および第２カバーの少なくとも一方に動作可能に連結されたロック部材対応装置、および
ロック部材、
を含み、
ロック部材は、第１および第２カバーが開放位置へ移動することができるロック解除位置と、閉鎖位置において第１および第２カバーをロックするロック位置との間を移動するように構成され、また全ロック部材は、ロック解除位置において容器に内在されることを特徴とするロック可能な容器。
【請求項２】
第１項において、ロック部材がロック位置にある場合、ロック部材がロック部材対応装置と係合することを特徴とするロック可能な容器。
【請求項３】
第１項において、ロック部材がロック位置にある場合、ロック部材は、ロック部材対応装置と係合し、またロック部材は、外部キー装置によって作用されるように構成され、ロック部材対応装置と関連してロック位置とロック解除位置のいずれかにロック部材を選択的に位置させることを特徴とするロック可能な容器。
【請求項４】
第１項において、第１カバーは、第２カバーに枢動可能に連結されることを特徴とするロック可能な容器。
【請求項５】
第１項において、ロック部材対応装置は、第１および第２カバーの一部として形成され、またロック部材は、第２カバーに分離可能に連結されることを特徴とするロック可能な容器。
【請求項６】
第５項において、ロック部材対応装置は、第１カバーに形成された少なくとも一つのタブと第２カバーに形成された少なくとも一つの対応タブを有することを特徴とするロック可能な容器。
【請求項７】
第６項において、第１カバーに形成された少なくとも一つのタブと第２カバーに形成された少なくとも一つの対応タブは、第１および第２カバーが閉鎖位置にある場合、隣接関係にあることを特徴とするロック可能な容器。
【請求項８】
第７項において、ロック部材の少なくとも一部は、陥凹部がその中に形成された、Ｉ−ビーム構造を有することを特徴とするロック可能な容器。
【請求項９】
第８項において、第１カバーに形成された少なくとも一つのタブと第２カバーに形成された少なくとも一つの対応タブは、陥凹部に位置され、ロック部材がロック位置にある場合、分離しないことを特徴とするロック可能な容器。
【請求項１０】
第１項において、第１カバーは、少なくとも一対の上部閉鎖壁を有し、第２カバーは、少なくとも一対の下部閉鎖壁を有し、また第１カバーが第２カバーに閉じられると、上部および下部の閉鎖壁各々が他の上部および下部の閉鎖壁各々の後ろに置かれるように配置され、上部および下部の閉鎖壁各々が、他の上部および下部の閉鎖壁の各々の高さの主要部分と実質的に重なり合うように二重壁を形成することを特徴とするロック可能な容器。
【請求項１１】
第１０項において、少なくとも一対の上部閉鎖壁の各々と少なくとも一対の下部閉鎖壁の各々は、第１および第２カバーの各々の全幅を延ばすことを特徴とするロック可能な容器。
【請求項１２】
第１０項において、少なくとも一対の上部閉鎖壁の各々と少なくとも一対の下部閉鎖壁の各々は、第１および第２カバーの各々の全幅を実質的に延ばすことを特徴とするロック可能な容器。
【請求項１３】
第１項において、第１カバーは、少なくとも一対の上部閉鎖壁を有し、第２カバーは、第２カバーの後方で触れる上部および下部エッジを有し、また少なくとも一対の上部閉鎖壁は、各々のシーム部を形成するために上部および下部エッジにおいて第２カバーと触れることを特徴とするロック可能な容器。
【請求項１４】
第１項において、第１カバーは、少なくとも一対の上部閉鎖壁を有し、第２カバーは、第２カバーの後方で実質的に触れる上部および下部エッジを有し、また少なくとも一対の上部閉鎖壁は、各々のシーム部を形成するために上部および下部エッジにおいて第２カバーと触れることを特徴とするロック可能な容器。
【請求項１５】
第１項において、ロック部材がロック位置にある場合、ロック部材は、ロック部材対応装置と係合し、ロック部材は、外部キー装置によって作用するように構成され、ロック部材対応装置と関連してロック位置とロック解除位置のいずれかにロック部材を選択的に位置させ、またロック部材対応装置は、第１カバーの一部として形成され、ロック部材は、第２カバーに分離可能に連結されることを特徴とするロック可能な容器。
【請求項１６】
第１５項において、ロック部材は、少なくとも一つのタブを有し、ロック部材対応装置は、少なくとも一つの対応ループを有することを特徴とするロック可能な容器。
【請求項１７】
第１６項において、少なくとも一つのタブは、ロック部材がロック位置にある場合、少なくとも一つの対応ループを係合するように構成されることを特徴とするロック可能な容器。
【請求項１８】
第１６項において、ロック部材は、単一成形構造を形成し、またロック部材は、熱可塑性樹脂ポリプロピレン、ＡＢＳ、ポリカーボネート、およびそれらの組み合わせから成る群より選択された材料で構成されることを特徴とするロック可能な容器。
【請求項１９】
第１５項において、ロック部材は、少なくとも一つの係合構造を有し、ロック部材対応装置は、少なくとも一つの対応係合構造を有し、またロック部材の係合構造は、ロック部材対応装置の対応係合構造を係合するように構成されることを特徴とするロック可能な容器。
【請求項２０】
第１９項において、ロック部材がロック位置およびロック解除位置に移動することを選択的に遮るように、ロック部材は停止装置を有することを特徴とするロック可能な容器。
【請求項２１】
第２０項において、ロック部材の少なくとも一つの係合構造は、外部キー装置の対応第１磁石装置と磁気的に相互作用するように構成された少なくとも一つの第１磁気誘引部を有することを特徴とするロック可能な容器。
【請求項２２】
第２１項において、停止装置は、ロック状態にバイアスされた少なくとも一つの弾性のロック位置フランジを有し、容器は、対応ロック位置タブを有し、またロック位置フランジは、対応ロック位置タブを選択的に係合するように構成され、一旦ロック位置にある場合、ロック部材がロック解除位置にスライドすることを防止することを特徴とするロック可能な容器。
【請求項２３】
第２２項において、弾性のロック位置フランジは、外部キー装置の対応第２磁石装置と磁気的に相互作用するように構成された少なくとも一つの第２磁気誘引部を有し、第２磁気誘引部と外部キー装置の第２磁石装置との間の磁気相互作用は、弾性のロック位置フランジを外部キー装置の方に曲げるようにすることを特徴とするロック可能な容器。
【請求項２４】
第２１項において、第１磁気誘引部は、鋼ピン、金属ピン、金属挿入部、磁気挿入部、およびそれらの組み合わせから成る群より選択されることを特徴とするロック可能な容器。
【請求項２５】
第２３項において、第２磁気誘引部は、鋼ピン、金属ピン、金属挿入部、磁気挿入部、およびそれらの組み合わせから成る群より選択されることを特徴とするロック可能な容器。
【請求項２６】
第２１項において、停止装置は、ロック解除状態にバイアスされた少なくとも一つの弾性のロック解除位置フランジを有し、容器は、対応ロック解除位置タブを有し、またロック解除位置フランジは、対応ロック解除位置タブを選択的に係合するように構成され、一旦ロック解除位置にある場合、ロック部材がロック位置にスライドすることを防止することを特徴とするロック可能な容器。
【請求項２７】
第２６項において、弾性のロック解除位置フランジは、外部キー装置の対応第３磁石装置と磁気的に相互作用するように構成された少なくとも一つの第３磁気誘引部を有し、第３磁気誘引部と外部キー装置の第３磁石装置との間の磁気相互作用は、弾性のロック解除位置フランジを外部キー装置の方に曲げるようにすることを特徴とするロック可能な容器。
【請求項２８】
第２３項において、停止装置は、ロック解除状態にバイアスされた少なくとも一つの弾性のロック解除位置フランジを有し、また弾性のロック解除位置フランジは、外部キー装置の第２磁石装置と磁気的に相互作用するように構成された少なくとも一つの第３磁気誘引部を有し、第３磁気誘引部と外部キー装置の第２磁石装置との間の磁気相互作用は、弾性のロック解除位置フランジを外部キー装置の方に曲げるようにすることを特徴とするロック可能な容器。
【請求項２９】
第２０項において、外部キー装置は、ロック部材をロック位置およびロック解除位置に選択的に移動させるために、少なくとも一つの対応係合構造とロック部材の少なくとも一つの停止装置と相互作用することを特徴とするロック可能な容器。
【請求項３０】
第２９項において、外部キー装置は、少なくとも一つの対応する係合構造と少なくとも一つの停止装置と同時に相互作用することを特徴とするロック可能な容器。
【請求項３１】
第１項において、ロック部材がロック位置にある場合、ロック部材は、ロック部材対応装置と係合し、またロック部材は、外部磁気キー装置によって作用されるように構成され、ロック部材対応装置と関連して、ロック位置とロック解除位置のいずれかにロック部材を選択的に位置させることを特徴とするロック可能な容器。
【請求項３２】
第１項において、第１および第２カバーが閉鎖位置にある場合、ロック部材が容器の外部から見えないことを特徴とするロック可能な容器。
【請求項３３】
第１項において、容器は、標準ライブラリケースのサイズに形成されることを特徴とするロック可能な容器。
【請求項３４】
第１項において、容器は、プラスチック、金属、木材、ポリマー、熱可塑性樹脂、ポリプロピレン、ＡＢＳ、ポリカーボネート、およびそれらの組み合わせから成る群より選択された材料で構成されることを特徴とするロック可能な容器。
【請求項３５】
第１項において、第１および第２カバーの少なくとも一方は、ユーザに容器内の資産が見られるように構成された透明部を有することを特徴とするロック可能な容器。
【請求項３６】
第１項において、第１および第２カバーの少なくとも一方は、ユーザに資産と関連する資料を表示するための透明ジャケットを有することを特徴とするロック可能な容器。
【請求項３７】
第１項において、第１および第２カバーの少なくとも一方は、容器内に資産を保持するために構成された保管機構を有することを特徴とするロック可能な容器。
【請求項３８】
第１項において、容器は、少なくとも一つのステイタスウインドゥを有し、ロック部材は、インジケータを有し、インジケータは、ロック部材の位置に応じて容器のロック解除またはロック状態をステイタスウインドゥによりユーザに伝えるように構成されることを特徴とするロック可能な容器。
【請求項３９】
容器内に資産を保管する方法において、
第１カバー、第１カバーと連結された第２カバー、第１および第２カバーの少なくとも一方に動作可能に連結されたロック部材対応装置、およびロック部材を有するロック可能な容器を提供するステップであり、第１および第２カバーは、資産を入れる閉鎖位置にあり、またロック部材は、第１および第２カバーが開放位置に移動することができ、全ロック部材が容器に内在するロック解除位置にあり、および
閉鎖位置において第１および第２カバーをロックするために、ロック解除位置からロック位置にロック部材を移動させるステップを含むことを特徴とする方法。
【請求項４０】
第３９項において、ロック解除位置からロック位置にロック部材を移動させるステップは、ロック部材にロック部材対応装置を係合するステップを含むことを特徴とする方法。
【請求項４１】
第３９項において、ロック部材を移動させるステップは、
ロック部材対応装置に対してロック位置にロック部材を移動させるように、外部キー装置によりロック部材に作用するステップ、および
ロック部材とロック部材対応装置を係合するステップ、
を含むことを特徴とする方法。
【請求項４２】
第３９項において、ロック部材対応装置は、第１および第２カバーの一部として形成され、またロック部材は、第２カバーに分離可能に連結されることを特徴とする方法。
【請求項４３】
第４２項において、ロック部材対応装置は、第１カバーに形成された少なくとも一つのタブと第２カバーに形成された少なくとも一つの対応タブを有することを特徴とする方法。
【請求項４４】
第４３項において、第１カバーに形成された少なくとも一つのタブと第２カバーに形成された少なくとも一つの対応タブは、第１および第２カバーが閉鎖位置にある場合、隣接関係にあることを特徴とする方法。
【請求項４５】
第４４項において、ロック部材の少なくとも一部は、陥凹部がその中に形成された、Ｉ−ビーム構造を有することを特徴とする方法。
【請求項４６】
第４５項において、第１カバーに形成された少なくとも一つのタブと第２カバーに形成された少なくとも一つの対応タブは、陥凹部に位置され、ロック部材がロック位置にある場合、分離しないことを特徴とする方法。
【請求項４７】
第３９項において、第１カバーは、少なくとも一対の上部閉鎖壁を有し、第２カバーは、少なくとも一対の下部閉鎖壁を有し、また第１カバーが第２カバーに閉じられると、上部および下部の閉鎖壁各々が他の上部および下部の閉鎖壁各々の後ろに置かれるように配置され、上部および下部の閉鎖壁の各々が、他の上部および下部の閉鎖壁各々の高さの主要部分と実質的に重なり合うように二重壁を形成することを特徴とする方法。
【請求項４８】
第４７項において、少なくとも一対の上部閉鎖壁の各々と少なくとも一対の下部閉鎖壁の各々は、第１および第２カバーの各々の全幅を延ばすことを特徴とする方法。
【請求項４９】
第４７項において、少なくとも一対の上部閉鎖壁の各々と少なくとも一対の下部閉鎖壁の各々は、第１および第２カバーの各々の全幅を実質的に延ばすことを特徴とする方法。
【請求項５０】
第３９項において、第１カバーは、少なくとも一対の上部閉鎖壁を有し、第２カバーは、第２カバーの後方で触れる上部および下部エッジを有し、また少なくとも一対の上部閉鎖壁は、各々のシーム部を形成するために上部および下部エッジにおいて第２カバーと触れることを特徴とする方法。
【請求項５１】
第３９項において、第１カバーは、少なくとも一対の上部閉鎖壁を有し、第２カバーは、第２カバーの後方で実質的に触れる上部および下部エッジを有し、また少なくとも一対の上部閉鎖壁は、各々のシーム部を形成するために上部および下部エッジにおいて第２カバーと触れることを特徴とする方法。
【請求項５２】
第３９項において、ロック部材対応装置は、第１カバーの一部として形成され、ロック部材は、第２カバーに分離可能に連結され、またロック部材を移動させるステップは、
ロック部材対応装置に対してロック位置にロック部材を移動させるように、外部キー装置によりロック部材に作用するステップ、および
ロック部材とロック部材対応装置を係合するステップ、
を含むことを特徴とする方法。
【請求項５３】
第５２項において、ロック部材は、少なくとも一つのタブを有し、またロック部材対応装置は、少なくとも一つの対応ループを有することを特徴とする方法。
【請求項５４】
第５３項において、ロック解除位置からロック位置にロック部材を移動させるステップは、さらに、ロック部材の少なくとも一つのループをロック部材対応装置の少なくとも一つの対応タブと係合するステップを含むことを特徴とする方法。
【請求項５５】
第５２項において、ロック部材は、少なくとも一つの係合構造を有し、ロック部材対応装置は、少なくとも一つの対応係合構造を有し、またロック解除位置からロック位置にロック部材を移動させるステップは、さらに、ロック部材の係合構造とロック部材対応装置の係合構造を係合できるようにするステップを含むことを特徴とする方法。
【請求項５６】
第５５項において、ロック部材がロック位置およびロック解除位置に移動することを選択的に遮るように、ロック部材は停止装置を有することを特徴とする方法。
【請求項５７】
第５６項において、ロック部材の少なくとも一つの係合構造は、外部キー装置の対応第１磁石装置と磁気的に相互作用するように構成された少なくとも一つの第１磁気誘引部を有することを特徴とする方法。
【請求項５８】
第５７項において、停止装置は、ロック状態にバイアスされた少なくとも一つの弾性のロック位置フランジを有し、容器は、対応するロック位置タブを有し、また方法は、一旦ロック位置にある場合、ロック部材がロック解除位置にスライドすることを防止するためにロック位置タブと対応するロック位置フランジを係合するステップをさらに含むことを特徴とする方法。
【請求項５９】
第５８項において、弾性のロック位置フランジは、外部キー装置の第２磁石装置と磁気的に相互作用するように構成された少なくとも一つの第２磁気誘引部を有し、またステップは、第２磁気誘引部と外部キー装置の第２磁石装置との間の磁気相互作用に起因して弾性のロック位置フランジを外部キー装置の方に曲げるようにするステップをさらに含むことを特徴とする方法。
【請求項６０】
第５６項において、ロック部材を移動させるステップは、ロック部材をロック位置に移動させるために、少なくとも一つの対応係合構造と少なくとも一つの停止装置を外部キー装置に係合できるようにするステップを含むことを特徴とする方法。
【請求項６１】
第６０項において、ロック部材を移動させるステップは、さらに、少なくとも一つの対応係合構造と少なくとも一つの停止装置を外部キー装置に実質的に係合できるようにするステップを含むことを特徴とする方法。
【請求項６２】
第３９項において、ロック部材を移動させるステップは、
ロック部材対応装置に対してロック位置にロック部材を位置させるように、外部キー装置によりロック部材に作用するステップ、および
ロック部材がロック位置にある場合、ロック部材をロック部材対応装置と係合できるようにするステップを含むことを特徴とする方法。
【請求項６３】
第３９項において、第１および第２カバーが閉鎖位置にある場合、ロック部材が容器の外部から見えないことを特徴とする方法。
【請求項６４】
第３９項において、第１および第２カバーの少なくとも一方は、容器内に資産を保持するために構成された保管機構を有することを特徴とする方法。
【請求項６５】
第３９項において、容器は、少なくとも一つのステイタスウインドゥを有し、ロック部材は、インジケータを有し、また方法は、
ロック部材の位置に応じて容器のロック解除またはロック状態を、ステイタスウインドゥを介してインジケータによりユーザに伝えるステップを含むことを特徴とする方法。
【請求項６６】
容器内から資産にアクセスする方法において、
第１カバー、第１カバーと連結された第２カバー、第１および第２カバーの少なくとも一方に動作可能に連結されたロック部材対応装置、およびロック部材を有するロック可能な容器を提供するステップであり、第１および第２カバーは、資産を入れる閉鎖位置にあり、またロック部材は、閉鎖位置において第１および第２カバーをロックするロック位置にあり、および
ロック位置から第１および第２カバーが開放位置に移動することができるロック解除位置にロック部材を移動させるステップを含み、
ロック解除位置において全ロック部材は容器に内在することを特徴とする方法。
【請求項６７】
第６６項において、ロック部材がロック位置にある場合、ロック部材がロック部材対応装置に係合することを特徴とする方法。
【請求項６８】
第６６項において、ロック部材がロック位置にある場合、ロック部材はロック部材対応装置と係合し、またロック部材を移動させるステップは、ロック部材対応装置と関連してロック解除位置にロック部材を位置させるように、外部キー装置によりロック部材に作用するステップを含むことを特徴とする方法。
【請求項６９】
第６６項において、ロック部材対応装置は、第１および第２カバーの一部として形成され、またロック部材は、第２カバーに分離可能に連結されることを特徴とする方法。
【請求項７０】
第６９項において、ロック部材対応装置は、第１カバーに形成された少なくとも一つのタブと第２カバーに形成された少なくとも一つの対応タブを有することを特徴とする方法。
【請求項７１】
第７０項において、第１カバーに形成された少なくとも一つのタブと第２カバーに形成された少なくとも一つの対応タブは、第１および第２カバーが閉鎖位置にある場合、隣接関係にあることを特徴とする方法。
【請求項７２】
第７１項において、ロック部材の少なくとも一部は、陥凹部がその中に形成された、Ｉ−ビーム構造を有することを特徴とする方法。
【請求項７３】
第７２項において、第１カバーに形成された少なくとも一つのタブと第２カバーに形成された少なくとも一つの対応タブは、陥凹部に位置し、ロック部材がロック位置にある場合、分離することを防ぐことを特徴とする方法。
【請求項７４】
第６６項において、第１カバーは少なくとも一対の上部閉鎖壁を有し、第２カバーは少なくとも一対の下部閉鎖壁を有し、また第１カバーが第２カバーに閉じられると、各々の上部および下部の閉鎖壁が他の各々の上部および下部の閉鎖壁の後ろに置かれるように上部および下部の閉鎖壁が配置され、各々の上部および下部の閉鎖壁が他の各々の上部および下部の閉鎖壁の高さの主要部分と実質的に重なり合うように二重壁を形成することを特徴とする方法。
【請求項７５】
第７４項において、少なくとも一対の上部閉鎖壁の各々と少なくとも一対の下部閉鎖壁の各々は、第１および第２カバーの各々の全幅を延ばすことを特徴とする方法。
【請求項７６】
第７４項において、少なくとも一対の上部閉鎖壁の各々と少なくとも一対の下部閉鎖壁の各々は、第１および第２カバーの各々の全幅を実質的に延ばすことを特徴とする方法。
【請求項７７】
第６６項において、第１カバーは少なくとも一対の上部閉鎖壁を有し、第２カバーは第２カバーの後方で触れる上部および下部のエッジを有し、また少なくとも一対の上部閉鎖壁は各々のシーム部を形成するために上部および下部エッジにおいて第２カバーと触れることを特徴とする方法。
【請求項７８】
第６６項において、第１カバーは少なくとも一対の上部閉鎖壁を有し、第２カバーは第２カバーの後方で実質的に触れる上部および下部エッジを有し、また少なくとも一対の上部閉鎖壁は各々のシーム部を形成するために上部および下部エッジにおいて第２カバーと触れることを特徴とする方法。
【請求項７９】
第６６項において、ロック部材対応装置は、第１カバーの一部として形成され、ロック部材は、第２カバーに分離可能に連結され、ロック部材がロック位置にある場合、ロック部材はロック部材対応装置と係合し、またロック部材を移動させるステップは、ロック部材対応装置と関連してロック解除位置にロック部材を位置させるように、外部キー装置によりロック部材に作用するステップを含むことを特徴とする方法。
【請求項８０】
第７９項において、ロック部材は、少なくとも一つのタブを有し、またロック部材対応装置は、少なくとも一つの対応ループを有することを特徴とする方法。
【請求項８１】
第８０項において、少なくとも一つのタブは、ロック部材がロック位置にある場合、少なくとも一つの対応ループを係合するように構成されることを特徴とする方法。
【請求項８２】
第７９項において、ロック部材は、少なくとも一つの係合構造を有し、ロック部材対応装置は、少なくとも一つの対応係合構造を有し、またロック部材の係合構造は、ロック部材対応装置の対応係合構造を係合するように構成されることを特徴とする方法。
【請求項８３】
第８２項において、ロック部材がロック位置およびロック解除位置に移動することを選択的に遮るように、ロック部材は停止装置を有することを特徴とする方法。
【請求項８４】
第８３項において、ロック部材の少なくとも一つの係合構造は、外部キー装置の対応第１磁石装置と磁気的に相互作用するように構成された少なくとも一つの第１磁気誘引部を有することを特徴とする方法。
【請求項８５】
第８４項において、停止装置は、ロック状態にバイアスされた少なくとも一つの弾性のロック位置フランジを有し、容器は、対応ロック位置タブを有し、またロック位置フランジは、対応ロック位置タブを選択的に係合するように構成され、一旦ロック位置にある場合、ロック部材がロック解除位置にスライドすることを防止することを特徴とする方法。
【請求項８６】
第８５項において、弾性のロック位置フランジは、外部キー装置の対応第２磁石装置と磁気的に相互作用するように構成された少なくとも一つの第２磁気誘引部を有し、第２磁気誘引部と外部キー装置の第２磁石装置との間の磁気相互作用は、弾性のロック位置フランジを外部キー装置の方に曲げるようにすることを特徴とする方法。
【請求項８７】
第８４項において、停止装置は、ロック解除状態にバイアスされた少なくとも一つの弾性のロック解除位置フランジを有し、容器は、対応ロック解除位置タブを有し、また方法は、
さらに、ロック解除位置にある場合、ロック部材がロック位置にスライドすることを防止するために、対応ロック解除位置タブをロック解除位置タブに係合するステップを含むことを特徴とする方法。
【請求項８８】
第８７項において、弾性のロック解除位置フランジは、外部キー装置の対応第３磁石装置と磁気的に相互作用するように構成された少なくとも一つの第３磁気誘引部を有し、第３磁気誘引部と外部キー装置の第３磁石装置との間の磁気相互作用は、弾性のロック解除位置フランジを外部キー装置の方に曲げるようにすることを特徴とする方法。
【請求項８９】
第８６項において、停止装置は、ロック解除状態にバイアスされた少なくとも一つの弾性のロック解除位置フランジを有し、また弾性のロック解除位置フランジは、外部キー装置の第２磁石装置と磁気的に相互作用するように構成された少なくとも一つの第３磁気誘引部を有し、第３磁気誘引部と外部キー装置の第２磁石装置との間の磁気相互作用は、弾性のロック解除位置フランジを外部キー装置の方に曲げるようにすることを特徴とする方法。
【請求項９０】
第８３項において、ロック部材を移動させるステップは、さらに、ロック部材をロック解除位置に移動させるために、ロック部材の少なくとも一つの対応係合構造と少なくとも一つの停止装置を外部キー装置に係合するステップを含むことを特徴とする方法。
【請求項９１】
第９０項において、ロック部材を移動させるステップは、さらに、ロック部材の少なくとも一つの対応係合構造と少なくとも一つの停止装置を外部キー装置に実質的に係合するステップを含むことを特徴とする方法。
【請求項９２】
第６６項において、ロック部材がロック位置にある場合、ロック部材はロック部材対応装置と係合し、またロック部材を移動させるステップは、ロック部材対応装置と関連してロック解除位置にロック部材を位置させるように、外部キー装置によりロック部材に作用するステップを含むことを特徴とする方法。
【請求項９３】
第６６項において、第１および第２カバーが閉鎖位置にある場合、ロック部材が容器の外部から見えないことを特徴とする方法。
【請求項９４】
第６６項において、第１および第２カバーの少なくとも一方は、容器内に資産を保持するために構成された保管機構を有することを特徴とする方法。
【請求項９５】
第６６項において、容器は少なくとも一つのステイタスウインドゥを有し、ロック部材はインジケータを有し、また方法は、
ロック部材の位置に応じて容器のロック解除またはロック状態を、ステイタスウインドゥを介してインジケータによりユーザに伝えるステップを含むことを特徴とする方法。
【請求項９６】
資産を管するロック可能な容器において、
ロック位置受容部を有するベース部、
容器に資産を入れるようにベース部に枢動可能に連結されたカバー、
少なくとも一つのカバーおよびベース部に連結され、少なくとも一つのタブ部を有するロック部材対応装置、および
少なくとも一つのカバーおよびベース部にスライド可能に連結され、容器内に全体的に配列され、またベース部にカバーを固定するためにロック部材対応装置に分離可能に連結されるように構成されて容器内に資産を保持するロック部材を含み、ロック部材は、
少なくとも一つのタブ部を係合するように構成された少なくとも一つの係合構造、
外部キー装置の対応第１磁石装置と磁気的に相互作用するように構成された少なくとも一つの第１磁気誘引部、および
ロック状態にバイアスされた少なくとも一つの弾性ロック位置フランジをさらに含み、
ロック位置フランジは、ロック部材がロック位置にある場合、ロック部材がロック解除位置にスライドすることを防止するためにロック位置受容部を選択的に係合するように構成され、また
ロック部材は、ロック部材対応装置と関連してロック位置とロック解除位置のいずれかにロック部材を選択的に位置させるために、外部キー装置によって作用されるように構成されることを特徴とする、資産を保管するロック可能な容器。
【請求項９７】
容器のロックおよびロック解除の少なくとも一方を行うキー装置において、
容器を受容するように構成され、容器のロックおよびロック解除の少なくとも一方を行うように構成された少なくとも一つの磁石装置を有する受容装置、
処理処置、
容器のロック状態を感知し、ロック状態に従って処理装置に信号を伝えるように構成されたロック／ロック解除感知装置、および
容器のロック状態をユーザに伝えるように構成され、処理装置と通信するユーザインターフェース装置を含むことを特徴とするキー装置。
【請求項９８】
第９７項において、上記キー装置は、さらに、キー装置をカウンター上部に装着するように構成された装着板を含むことを特徴とするキー装置。
【請求項９９】
第９７項において、さらに、適切な検知器によって検知されるように構成された少なくとも一つのＡＭおよびＲＦ活性可能なセキュリティタグを含むことを特徴とするキー装置。
【請求項１００】
第９７項において、さらに、ユーザがキー装置の所在を追跡することができるように構成された少なくとも一つのＲＦＩＤラベルを含むことを特徴とするキー装置。
【請求項１０１】
第９７項において、さらに、データベース機能により識別化、直列化、ウェブサーバーを含むことを特徴とするキー装置。
【請求項１０２】
第１０１項において、データベースの特徴は、シリアル番号、店名、権限を有するユーザの氏名、キー装置の販売日、キー装置のリース日、およびそれらの組み合わせから成る群より選択された情報をエンコードするためにバーコードを含むことを特徴とするキー装置。
【請求項１０３】
第９７項において、さらに、権限を有しないユーザがキー装置を変更すると、外部キー装置を行うことができないように構成された承認拒否装置を含むことを特徴とするキー装置。
【請求項１０４】
第９７項において、受容装置は、容器をロックするために容器を受容するように構成されることを特徴とするキー装置。
【請求項１０５】
第９７項において、受容装置は、キー装置の動作を選択的に防止するように構成された停止部材を有することを特徴とするキー装置。
【請求項１０６】
第９７項において、容器のロック状態は、聴覚インジケータ、視覚インジケータ、触覚インジケータ、光学インジケータ、およびそれらの組み合わせを用いてユーザに伝えることを特徴とするキー装置。
【請求項１０７】
資産を保管および資産にアクセスするシステムにおいて、
第１カバー、容器内に資産を入れるように第１カバーに枢動可能に連結された第２カバー、第１および第２カバーの少なくとも一方に連結されたロック部材対応装置、および第１および第２カバーの少なくとも一方にスライド可能に連結され、第１カバーを第２カバーに固定するようにロック部材対応装置に分離可能に連結されるように構成されて、容器内に資産を保持するロック部材を有する資産を保管するロック可能な容器、および
容器のロックおよびロック解除の少なくとも一方を行い、容器を受容するように構成された受容装置を有し、また容器のロックおよびロック解除の少なくとも一方を行うように構成された少なくとも一つの磁石装置を有するキー装置を含み、
ロック部材は、ロック部材対応装置と関連してロック位置とロック解除位置のいずれかにロック部材を選択的に位置させるために、外部キー装置により作用されるように構成され、また
全ロック部材は、ロック解除位置において容器に内在することを特徴とするシステム。
【請求項１０８】
容器内に資産を保管する方法において、
第１カバー、容器内に資産を入れるように第１カバーに枢動可能に連結された第２カバー、第１および第２カバーの少なくとも一方に連結されたロック部材対応装置、および第１および第２カバーの少なくとも一方にスライド可能に連結されたロック部材を有するロック可能な容器を提供するステップであり、ロック部材はロック解除位置にあり、またロック部材がロック解除位置にある場合、全ロック部材は容器に内在し、
受容装置を有して容器をロック解除するキー装置を提供するステップであり、受容装置は、少なくとも一つの磁石装置を有し、
受容装置内に容器を位置させるステップ、および
ロック部材がロック部材対応装置と係合して第１および第２カバーを固定するように、ロック部材対応装置と関連してロック解除位置からロック位置にロック部材を移動させるように少なくとも一つの磁石装置により容器に作用するステップを含む方法。
【請求項１０９】
容器内から資産にアクセスする方法において、
第１カバー、容器内に資産を入れるように第１カバーに枢動可能に連結された第２カバー、第１および第２カバーの少なくとも一方に連結されたロック部材対応装置、および第１および第２カバーの少なくとも一方にスライド可能に連結されたロック部材を有するロック可能な容器を提供するステップであり、全ロック部材は、ロック解除位置において容器に内在し、またロック部材は、ロック位置において第１カバーと第２カバーを固定するようにロック部材対応装置を係合させ、
受容装置を有して容器をロック解除するキー装置を提供するステップであり、受容装置は、少なくとも一つの磁石装置を有し、
受容装置内に容器を位置させるステップ、および
ロック部材対応装置と関連してロック解除位置からロック位置にロック部材を移動させるように、少なくとも一つの磁石装置として容器に作用するステップを含む方法。
【請求項１１０】
資産を保管するロック可能な容器において、
第１カバー、
第１カバーと結合された第２カバー、第１および第２カバーは資産にアクセスすることができる開放位置と資産を入れる閉鎖位置との間を移動するように構成され、
第１カバーに連結された少なくとも一つのタブ部、
第２カバーに連結された少なくとも一つの対応タブ部、および
第１および第２カバーの少なくとも一方に動作可能に連結されたロック部材を含み、ロック部材はトラップ部とリリース部を有し、
ロック部材は、第１および第２カバーが開放位置に移動することができるロック解除位置と閉鎖位置において容器をロックするロック位置との間を移動するように構成され、また全ロック部材はロック解除位置において容器に内在することを特徴とする容器。
【請求項１１１】
第１１０項において、ロック部材は、ロック位置において、少なくとも一つのタブ部および少なくとも一つの対応タブ部がトラップ部に位置されて分離することを防止するように構成されることを特徴とする容器。
【請求項１１２】
第１１１項において、少なくとも一つのタブ部と少なくとも一つの対応タブ部は、トラップ部に位置されると、隣接関係で相互に対向することを特徴とする容器。
【請求項１１３】
第１１０項において、ロック解除位置において、少なくとも一つのタブ部と少なくとも一つの対応タブ部は、リリース部に位置されて分離するように、ロック部材が構成されることを特徴とする容器。
【請求項１１４】
第１１０項において、上部カバーは少なくとも二つのタブ部を有し、下部カバーは少なくとも二つの対応タブ部を有し、またロック部材は、ロック部材の対向側面上に位置された少なくとも一対のトラップ部を有することを特徴とする容器。
【請求項１１５】
第１１４項において、ロック位置において、少なくとも二つのタブ部の一方と少なくとも二つの対応タブ部の一方が隣接関係で少なくとも一対のトラップ部の一方に位置され、また少なくとも二つのタブ部の他方と少なくとも二つの対応タブ部の他方が隣接関係で少なくとも一対のトラップ部の他方に位置されるように容器が構成され、また少なくとも二つのタブ部が少なくとも二つの対応タブ部から分離することを防止することを特徴とする容器。
【請求項１１６】
第１１０項において、ロック部材がロック位置にある場合、容器内に置かれてアクセス不可能な電子セキュリティタグをさらに含むことを特徴とする容器。
【請求項１１７】
第１１０項において、第１カバーは少なくとも一対の上部閉鎖壁を有し、第２カバーは少なくとも一対の下部閉鎖壁を含み、また第１カバーが第２カバーに閉じられると、上部および下部の閉鎖壁各々が他の上部および下部の閉鎖壁の各々の後ろに置かれるように上部および下部の閉鎖壁が配置され、上部および下部の閉鎖壁の各々が他のの上部および下部の閉鎖壁の各々の高さの主要部分と実質的に重なり合うように二重壁を形成することを特徴とする容器。
【請求項１１８】
第１１７項において、少なくとも一対の上部閉鎖壁の各々と少なくとも一対の下部閉鎖壁の各々は、第１および第２カバーの各々の全幅を延ばすことを特徴とする容器。
【請求項１１９】
第１１７項において、少なくとも一対の上部閉鎖壁の各々と少なくとも一対の下部閉鎖壁の各々は、第１および第２カバーの各々の全幅を実質的に延ばすことを特徴とする容器。
【請求項１２０】
第１１０項において、第１カバーは少なくとも一対の上部閉鎖壁を有し、第２カバーは第２カバーの後方で触れる上部および下部エッジを有し、また少なくとも一対の上部閉鎖壁は各々のシーム部を形成するために、上部および下部エッジにおいて第２カバーと触れることを特徴とする容器。
【請求項１２１】
第１１０項において、第１カバーは少なくとも一対の上部閉鎖壁を有し、第２カバーは第２カバーの後方で実質的に触れる上部および下部エッジを有し、また少なくとも一対の上部閉鎖壁は各々のシーム部を形成するために、上部および下部エッジにおいて第２カバーと触れることを特徴とする容器。
【請求項１２２】
資産を保管するロック可能な容器において、資産にアクセスすることができる開放構造と資産を入れる閉鎖構造を有する受容部、
受容部に動作可能に連結されたロック部材対応装置、および
ロック部材を含み、
ロック部材は、受容部が開放構造にあるロック解除位置と閉鎖構造において受容部をロックするロック位置との間を移動するように構成され、また全ロック部材は、ロック解除位置において容器に内在することを特徴とするロック可能な容器。
【請求項１２３】
容器のロックおよびロック解除の少なくとも一方を行うキー装置において、容器は、資産にアクセスすることができる開放構造と資産を入れる閉鎖構造を有する受容部を有し、また容器は、受容部が開放構造にあるロック解除位置と閉鎖構造において受容部をロックするロック位置との間を移動するように構成されたロック部材を有し、ロック部材は、少なくとも一つの磁気誘引部を有し、キー装置は、
容器を受容するために構成されたチャンネル部、および
容器がチャンネルを介してスライドする間、少なくとも一つの磁気装置により発生した磁場内にロック部材の少なくとも一つの磁気誘引部を保持し、ロック位置およびロック解除位置の少なくとも一つにロック部材を位置させるように構成された少なくとも一つの磁気装置を含むことを特徴とするキー装置。
【請求項１２４】
第１２３項において、ロック部材は、第１および第２磁気誘引部を有し、キー装置は、
さらに第１および第２磁気装置を含み、第１磁気装置は、第１磁気装置により発生した磁場内に、ロック部材の第１磁気誘引部を保持するために構成され、また第２磁気装置は、第２磁気装置により発生した磁場内に、ロック部材の第２磁気誘引部を保持するために構成されることを特徴とするキー装置。
【請求項１２５】
第１２４項において、チャンネル部は、その間にチャンネルを形成する第１壁部および第２壁部を含み、第１磁気装置は、第１壁部内に置かれ、また第２磁気装置は、第２壁部内に置かれることを特徴とするキー装置。
【請求項１２６】
第１２４項において、チャンネル部は、その間にチャンネルを形成する第１壁部および第２壁部を含み、チャンネルは、第１端部および第２端部を有し、第１磁気装置は、チャンネルの第１端部において第１壁部内に置かれ、また第２磁気装置は、チャンネルの第２端部において第２壁部内に置かれることを特徴とするキー装置。
【請求項１２７】
容器のロックおよびロック解除の少なくとも一方を行う方法において、
容器は、資産にアクセスすることができる開放構造と資産を入れる閉鎖構造を有する受容部を有し、また容器は受容部が開放構造にあるロック解除位置と閉鎖構造において受容部をロックするロック位置との間を移動するように構成されたロック部材を有し、ロック部材は、少なくとも一つの磁気誘引部を有し、方法は、
チャンネル部および少なくとも一つの磁気装置を有するキー装置を提供するステップ、
チャンネル部に容器を位置させるステップ、
ロック部材の少なくとも一つの磁気誘引部を、少なくとも一つの磁気装置により発生した磁場内に保持するステップ、および
少なくとも一つの磁気装置により発生した磁場内に、ロック部材の少なくとも一つの磁気誘引部を保持しながら、ロック部材がロック位置とロック解除位置の少なくとも一つを達成するように、チャンネルを介して容器をスライディングするステップを含むことを特徴とする方法。
【請求項１２８】
第１２７項において、ロック部材は第１および第２磁気誘引部を有し、キー装置は第１および第２磁気装置を有し、また少なくとも一つの磁気装置により発生した磁場内に、ロック部材の少なくとも一つの磁気誘引部を保持するステップは、
第１磁気装置により発生した磁場内に、ロック部材の第１磁気誘引部を保持するステップ、および
第２磁気装置により発生した磁場内に、ロック部材の第２磁気誘引部を保持するステップをさらに含むことを特徴とする方法。
【請求項１２９】
第１２８項において、チャンネル部は、その間にチャンネルを形成する第１壁部および第２壁部を含み、第１磁気装置は、第１壁部内に置かれ、また第２磁気装置は、第２壁部内に置かれることを特徴とする方法。
【請求項１３０】
第１２８項において、チャンネル部は、その間にチャンネルを形成する第１壁部および第２壁部を含み、チャンネルは、第１端部および第２端部を有し、第１磁気装置は、チャンネルの第１端部において第１壁部内に置かれ、また第２磁気装置は、チャンネルの第２端部において第２壁部内に置かれることを特徴とする方法。
【考案の詳細な説明】
【技術分野】
【０００１】
本発明は、資産を保管するロック可能な容器に関し、さらに詳しくは、一体型の内側ロック構造を有する資産を保管するロック可能な容器およびその利用方法に関する。
【背景技術】
【０００２】
現在、例えば、デジタル多用途ディスク（ＤＶＤ）、コンパクトディスク（ＣＤ）、およびビデオゲーム等のストレージメディアを保管するように用いることができる多くの容器がある。一般的なストレージコンテナは、カバー部およびカバー部にヒンジで連結されるように連結されたベース部を含む。保管される資産は、容器内に置かれ、またカバー部は、容器内に資産を保管するためにベース部と結合する。このようなストレージコンテナは、例えば、潜在顧客が容器内に保管された資産を購入するか、レンタルするかを決めるためにストレージコンテナを手に取って観察することができる、実際の小売またはレンタル環境において展示される。これにより、多くの潜在顧客がこのようなストレージコンテナを手に取ることができるので、容器内に貯蔵された資産が可能性が考えられるケースとして泥棒に盗まれることを阻止するためにストレージコンテナ用ロック手段を提供する必要がある。
【０００３】
現在、各種のロック方法が実際の小売およびレンタル環境において用いられる。ストレージコンテナをロックするための一つの方法は、活性電子セキュリティタグ（例えば、電子商品監視（ＥＡＳ）タグまたは無線周波数識別（ＲＦＩＤ）タグ）を容器内に配列することを含む。容器は、その後エッジラベルで密封される。エッジラベルは、容器が容易に開封されるのを防止し、また資産およびセキュリティタグが容器から取り出されるのを防止する。そのような容器は、容器内の資産を更に保護するために容器の回りを取り囲む外部セキュリティ装置としても用いられる。
【０００４】
しかし、上述した方法には、限界がある。例えば、小売またはレンタル環境において付加したセキュリティのために、時折、容器は、カウンターの後側でロックされるため、“実際の販売”のメリットを消費者に提供することができない。また、消費者が、容器を家に持ち帰って開封しようとする時に、エッジラベルの除去が困難であることに気づくことがよくある。追加の外部セキュリティ装置が用いられる場合、装置は、購入時点で小売業者により切断されるか、家で消費者により切断されなければならない。このような外部装置は、その後廃棄されるため、環境に良いものではない。
【０００５】
ストレージコンテナをロックする他の方法としては、分離のロック装置で容器を固定することを含む。そのようなロック装置が、例えば、バーデット（Ｂｕｒｄｅｔｔ）らの米国特許第５，９４４，１８５号およびバーデットらの米国特許第６，１３５，２８０号に記載されている。そのようなロック装置は、容器をロックするために容器中に挿入または取り付けられて、その後、容器をロック解除するために容器との通信から除去される。
【０００６】
そのような方法において、ロック装置が容器から分離されるので、ある問題点が発生する。例えば、実際の小売またはレンタル環境において容器をロックするために、小売業者は、ロック装置で容器をロックする前に、まず容器中に錠を挿入したり、または錠を容器に取り付けなければならない。容器が小売業者によりロックされていない場合、錠は、再使用され、保管され、再保管され、または廃棄される。これは、例えば、コストの上昇、管理の複雑化、および環境問題を引き起こし得る。また、容器から分離されて容器外部にあるそのようなロック装置は、不正変更され得る。
【０００７】
よって、一体型の内側ロック構造を有する、資産を保管するロック可能な容器およびその利用方法を提供することが好ましい。
【考案の開示】
【考案が解決しようとする課題】
【０００８】
本発明によれば、一体型の内側ロック構造を有する、資産を保管するロック可能な容器およびその利用方法が提供される。そのような資産は、例えば、ストレージメディア（例えば、ＤＶＤ、ＣＤ、ビデオゲーム、メモリーカードまたは他の適切なストレージメディア）、宝石、医薬品、カミソリの刃、プリンタカートリッジ、または他の資産を含んでもよい。本発明のロック可能な容器は、特に品物の価値の有無に関わらず、そのような品物に人がアクセスすることを防止するため、品物を保護するようにも用いられる。例えば、本発明のロック可能な容器は、家で暴力的な映画またはアダルトビデオまたはビデオゲームを子供の手に届かないように保管するためにも用いられる。しかし、単に本発明では、ここにおいては“資産”を保管するものとして説明される。
【０００９】
本発明のいくつかの実施例においては、資産を保管するロック可能な容器が提供される。ロック可能な容器は、第１カバーおよび第１カバーと結合された第２カバーを有するものとして提供されてもよい。第１および第２カバーは、資産にアクセスすることができる開放位置と資産を入れる閉鎖位置との間を移動するように構成されてもよい。ロック可能な容器は、第１および第２カバーの少なくとも一方に動作可能なように連結されたロック部材対応装置を含んでもよい。ロック可能な容器は、第１および第２カバーが開放位置に移動することができるロック解除位置と閉鎖位置で第１および第２カバーをロックするロック位置との間を移動するように構成され、また全ロック部材は、ロック解除位置で容器に内在するロック部材を含んでもよい。
【００１０】
本発明のいくつかの実施例においては、容器内に資産を保管する方法が提供される。ロック可能な容器は第１カバー、第１カバーと連結された第２カバーを有するものとして提供されてもよい。ロック可能な容器は、第１および第２カバーの少なくとも一方に動作可能に連結されたロック部材対応装置と、ロック部材とを有することができる。容器の第１および第２カバーは、資産を入れる閉鎖位置にあり、またロック部材は、第１および第２カバーが開放位置に移動することができるロック解除位置にある。ロック解除位置において、全ロック部材が容器に内在してもよい。ロック可能な部材は、閉鎖位置において第１および第２カバーをロックするためにロック解除位置からロック位置に移動されてもよい。
【００１１】
本発明のいくつかの実施例においては、容器内から資産を入手する方法が提供される。ロック可能な容器は、第１カバー、第１カバーと連結された第２カバーを有するものとして提供されてもよい。ロック可能な容器は、第１および第２カバーの少なくとも一方に動作可能に連結されたロック部材対応装置と、ロック部材とを有してもよい。第１および第２カバーは、資産を入れる閉鎖位置にあってもよい。ロック部材は、閉鎖位置において第１および第２カバーをロックするロック位置にあってもよい。ロック部材は、ロック位置から第１および第２カバーが開放位置に移動することができるロック解除位置に移動されてもよい。ロック解除位置において、全ロック部材は、容器に内在してもよい。
【００１２】
本発明のいくつかの実施例において、資産を保管するロック可能な容器が提供される。ロック可能な容器は、ロック位置受容部を有するベース部を含んでもよい。カバーは、容器内に資産を入れるようにベース部に枢動可能に連結されてもよい。ロック可能な容器は、少なくとも一つのカバーおよびベース部に連結され、少なくとも一つのタブ部を有するロック部材対応装置を含んでもよい。ロック可能な容器は、少なくとも一つのカバーおよびベース部にスライド可能に連結されたロック部材を含んでもよい。ロック部材は、容器内に全体が配列され、またベース部にカバーを固定するためにロック部材対応装置に分離可能に連結されるように構成されて容器内に資産を保持する。ロック部材は、少なくとも一つのタブ部を係合するように構成された少なくとも一つの係合構造を含んでもよい。ロック部材は、外部キー装置の対応第１磁石装置と磁気的に相互作用するように構成された少なくとも一つの第１磁気誘引部を含んでもよい。ロック部材は、ロック状態にバイアスされ、ロック部材がロック位置にある場合、ロック部材がロック解除位置にスライドすることを防止するためにロック位置受容部を選択的に係合するように構成された少なくとも一つの弾性ロック位置フランジを含んでもよい。ロック部材は、ロック部材対応装置と関連してロック位置とロック解除位置のいずれかにロック部材を選択的に位置させるために外部キー装置によって作用されるように構成されてもよい。
【００１３】
本発明のいくつかの実施例において、容器のロックおよびロック解除の少なくとも一方を行うキー装置が提供されることができる。キー装置は、容器を受容するように構成された受容装置を含んでもよい。受容装置は、容器のロックおよびロック解除の少なくとも一方を行うように構成された少なくとも一つの磁石装置を含んでもよい。キー装置は、処理装置および容器のロック状態を検知してロック状態に応じて処理装置に信号を伝えるように構成されたロック／ロック解除検知装置を含んでもよい。キー装置は、容器のロック状態をユーザに伝えるように構成され、処理装置と通信するユーザインターフェース装置を含んでもよい。
【００１４】
本発明のいくつかの実施例において、資産を保管および資産にアクセスして得るシステムが提供される。システムは、第１カバー、容器内に資産を入れるように第１カバーに枢動可能に連結された第２カバーを有する資産を保管するロック可能な容器を含んでもよい。ロック可能な容器は、第１および第２カバーの少なくとも一方に連結されたロック部材対応装置を含んでもよい。ロック可能な容器は、第１および第２カバーの少なくとも一方に、スライド可能に連結されたロック部材を含んでもよい。ロック部材は、第１カバーを第２カバーに固定するようにロック部材対応装置に分離可能に連結されるように構成されて容器内に資産を保有することができる。システムは、容器のロックおよびロック解除の少なくとも一方を行うキー装置を含んでもよい。キー装置は、容器を受容するように構成された受容装置を含んでもよい。受容装置は、容器のロックおよびロック解除の少なくとも一方を行うように構成された少なくとも一つの磁石装置を有することができる。ロック部材は、ロック部材対応装置と関連してロック位置とロック解除位置の一方にロック部材を選択的に位置させるために外部キー装置によって作用されるように構成されることができる。全ロック部材は、ロック解除位置において容器に内在することができる。
【００１５】
本発明のいくつかの実施例において、容器内に資産を保管する方法が提供される。ロック可能な容器は、第１カバー、容器内に資産を入れるように第１カバーに枢動可能に連結された第２カバーを有するものとして提供されてもよい。ロック可能な容器は、第１および第２カバーの少なくとも一方に連結されたロック部材対応装置を含んでもよい。ロック可能な容器は、第１および第２カバーの少なくとも一方にスライド可能に連結されたロック部材を含んでもよい。ロック部材は、ロック解除位置にあり、またロック部材がロック解除位置にある場合、全ロック部材は容器に内在してもよい。容器をロック解除するキー装置が提供されてもよい。キー装置は、少なくとも一つの磁石装置を有する受容装置を含んでもよい。容器は、受容装置内に位置されてもよい。容器は、ロック部材がロック部材対応装置と係合して第１および第２カバーを固定するように、ロック部材対応装置に関連してロック解除位置からロック位置にロック部材を移動するように、少なくとも一つの磁石装置として作用してもよい。
【００１６】
本発明のいくつかの実施例において、容器内から資産にアクセスする方法が提供されることができる。ロック可能な容器は、第１カバー、容器内に資産を入れるように第１カバーに枢動可能に連結された第２カバーを有するものとして提供されてもよい。ロック可能な容器は、第１および第２カバーの少なくとも一方に連結されたロック部材対応装置を含んでもよい。ロック可能な容器は、第１および第２カバーの少なくとも一方にスライド可能に連結されたロック部材を含んでもよい。全ロック部材は、ロック解除位置において容器に内在してもよい。ロック部材は、ロック位置において第１カバーと第２カバーを固定するようにロック部材対応装置と係合してもよい。容器をロック解除するキー装置が提供されてもよい。キー装置は、少なくとも一つの磁石装置を有する受容装置を含んでもよい。容器は、受容装置内に位置されてもよい。容器は、ロック部材対応装置に関連してロック解除位置からロック位置にロック部材を移動させるように、少なくとも一つの磁石装置により作用してもよい。
【００１７】
本発明のいくつかの実施例において、資産を保管するロック可能な容器が提供されてもよい。ロック可能な容器は、第１カバーおよび第１カバーと結合された第２カバーを含んでもよい。第１および第２カバーは、資産にアクセスすることができる開放位置と資産を入れる閉鎖位置との間を移動するように構成されてもよい。ロック可能な容器は、第１カバーに連結された少なくとも一つのタブ部と、また第２カバーに連結された少なくとも一つの対応タブ部を含んでもよい。ロック可能な容器は、第１および第２カバーの少なくとも一方に動作可能に連結されたロック部材を含んでもよい。ロック部材は、トラップ部とリリース部を有してもよい。ロック部材は、第１および第２カバーが開放位置に移動することができるロック解除位置と閉鎖位置において容器をロックするロック位置との間を移動するように構成されてもよい。全ロック部材は、ロック解除位置で容器に内在してもよい。
【００１８】
本発明のいくつかの実施例において、資産を保管するロック可能な容器が提供されてもよい。ロック可能な容器は、資産にアクセスすることができる開放構造と資産を入れる閉鎖構造を有する受容部を含んでもよい。ロック可能な容器は、受容部に動作可能に連結されたロック部材対応装置を含んでもよい。ロック可能な容器は、受容部が開放構造にあるロック解除位置と閉鎖構造において受容部をロックするロック位置との間を移動するように構成されたロック部材を含んでもよい。全ロック部材は、ロック解除位置で容器に内在することができる。
【００１９】
本発明のいくつかの実施例において、容器のロックおよびロック解除の少なくとも一方を行うキー装置が提供されてもよい。容器は、資産にアクセスすることができる開放構造と資産を入れる閉鎖構造とを有する受容部を有してもよい。容器は、受容部が開放構造にあるロック解除位置と閉鎖構造において受容部をロックするロック位置との間を移動するように構成されたロック部材を有してもよい。ロック部材は、少なくとも一つの磁気誘引部を有してもよい。キー装置は、容器を受容するために構成されたチャンネル部および少なくとも一つの磁気装置を含んでもよい。少なくとも一つの磁気装置は、容器がチャンネルを介してスライドする間に、少なくとも一つの磁気装置により発生した磁場内にロック部材の少なくとも一つの磁気誘引部を保持して、ロック位置およびロック解除位置の少なくとも一つにロック部材を位置させるように構成してもよい。
【００２０】
本発明のいくつかの実施例において、容器のロックおよびロック解除の少なくとも一方を行う方法が提供されてもよい。容器は、資産にアクセスすることができる開放構造と資産を入れる閉鎖構造とを有する受容部を有することができる。容器は、受容部が開放構造にあるロック解除位置と閉鎖構造において受容部をロックするロック位置との間を移動するように構成されたロック部材を有してもよい。ロック部材は、少なくとも一つの磁気誘引部を有してもよい。キー装置は、チャンネル部および少なくとも一つの磁気装置を有するものとして提供されてもよい。容器は、チャンネル部に位置されてもよい。ロック部材の少なくとも一つの磁気誘引部が、少なくとも一つの磁気装置により発生した磁場内に保持されてもよい。少なくとも一つの磁気装置により発生した磁場内にロック部材の少なくとも一つの磁気誘引部が保持される間、容器は、チャンネルを介してスライディングして、ロック部材がロック位置とロック解除位置の少なくとも一方に達することができる。
【００２１】
本発明の他の特徴、特性および各種メリットは、添付の図面と次の詳細な説明によりさらに明らかになる。
【考案を実施するための最良の形態】
【００２２】
本発明によれば、一体型の内側ロック構造を有する、資産を保管するロック可能な容器およびその利用方法が提供される。
【００２３】
本発明のロック構造は、容器と一体化して、容器のロックまたはロック解除に関わらず、容器にそのまま残る。これにより、容器からロック構造（例えば、ロック部材）のある部分を取り外すことなく、容器はロックされ、また解除される。従って、ロック構造のある部分を再使用、再購入、再生または廃棄する必要がない。
【００２４】
本発明のロック構造は、容器の内側にあり、容器が閉じる時、容器内に全体が置かれるようになる。これは、ロック構造を個別的に変更することをさらに困難にする。
【００２５】
容器がロックされた状態において、本発明のロック可能な容器は、例えば、小売業者またはレンタルショップで展示される。消費者は、容器内の内容物にアクセスしなくても容器を扱うことができる。消費者が、特定のロック可能な容器の内容物を購入、レンタル、またはリースを行うことを一旦決めると、消費者はレジに容器を持ってくる。レジにおいて、店員または権限を有する他のユーザは、消費者が容器の内容物にアクセスするように、キー装置を利用してロック可能な容器を解除することができる。
【００２６】
本発明による一体型の内側ロック構造がロック位置または解除位置中のいずれかの位置に選択的に位置されることができるため、本発明のロック可能な容器は、ロックされる必要のない用途に用いられる。
【００２７】
図１は、本発明に係るロック可能な容器１０の一例を簡略に示す斜視図である（図１のロック可能な容器１０は、本発明のロック可能な容器の形状を一般的に示すための概略図であることに留意すべきである）。ロック可能な容器１０は、第１カバー１２、および容器１０内に少なくとも一つの資産１６を保管するために、第１カバーと枢動可能に結合され、またはヒンジで連結される第２カバー１４を含む。図１に示すように、資産１６は、第１カバー１２内に置かれている。しかし、これは例示的なものに過ぎず、資産１６は、第１カバー１２および第２カバー１４の一方または両方に受容されてもよい。第１カバー１２は、資産が置かれている容器の部分であり、ここにおいて容器１０の“ベース部”として見なされ、また第２カバー１４も、“カバー”として見なされる。
【００２８】
容器１０は、容器内に資産１６を保管するようにロックされてもよい。特に、容器１０は、内側ロック部材１８および容器１０内に位置されたロック部材対応装置２０を含む。ロック部材１８およびロック部材対応装置２０は、第１カバー１４が第２カバー１２に保管されて容器１０内に資産を保管するように、係合するように構成される。
【００２９】
ロック部材１８が第１カバー１２に結合されたように例示したが、これは例示的なものに過ぎず、ロック部材１８は、第１カバー１２または第２カバー１４のいずれか一つに結合されることができるということを留意すべきである。さらに、ロック部材対応装置２０が第２カバー１１５に結合されたように例示されたが、これは例示的なものに過ぎず、ロック部材対応装置２０は、第１カバー１２および第２カバー１４の一方または両方に結合されてもよい。
【００３０】
容器１０がストレージメディア（例えば、ＤＶＤ、ＣＤ、または適切な他のストレージメディア）を保管するように用いられる実施例において、容器１０は、例えば、標準ライブラリケース（ｓｔａｎｄａｒｄ  ｌｉｂｒａｒｙ  ｃａｓｅ）に類似したサイズに形成されてもよい。そのような実施例において、容器１０は、現在の製造自動化により製作されて、標準ライブラリケースに類似した壁高さ、ディスク位置、およびブックレットの大きさを有することができる。好ましくは、容器１０は、容器１０内に資産１６を保管するのに適切な任意の耐久材で構成され、権限のない人が容器を壊して資産にアクセスすることを防止する。容器１０は、例えば、プラスチック、金属、木材、ポリマー、熱可塑性樹脂（ポリプロピレン、ＡＢＳ、またはポリカーボネートなど）、または他の適切な耐久材で構成されてもよい。
【００３１】
ユーザに容器の内容物、例えば、資産１６が見えるように、容器１０は、少なくとも一つの透明部分（図示せず）を含んでもよい。そのような実施例において、容器１０が販売用物品を含んでいれば、消費者は、資産１６を購入するか否かを決める前に、内容物が見られる。容器１０は、例えば、顧客に資産１６に関連する資料を表示するために容器の外面上に配列された透明ジャケット（図示せず）を含んでもよい。例えば、容器１０がＤＶＤ映画を保管するように用いられると、透明ジャケット（図示せず）は、ＤＶＤ映画に関連する小型絵文字、タイトル、または他の適切な情報を含んでもよい。
【００３２】
資産１６の損傷を防止するために、容器が移動されまたは運搬されるとき、資産が容器の内部で移動することを防止するように、容器１０は、容器内に資産を保管する保管機構（図示せず）を含んでもよい。例えば、容器１０がストレージメディア（例えば、ＤＶＤ、ＣＤ、または他の適切なストレージメディア）を保管するように用いられると、保管機構（図示せず）は、例えば、その上にストレージメディアを受容して保有するためにハブを含んでもよい。ハブの例は、後述の図４に示されている。
【００３３】
ロック部材１８は、第１カバー１２を第２カバー１４に保管するために、ロック部材対応装置２０に分離可能に結合されるように構成される。このため、ロック部材１８とロック部材対応装置２０の一方または両方は、外部磁気キー装置（後述される）により作用されるように構成されてもよい。外部磁気キー装置と容器１０との相互作用は、ロック位置またはロック解除位置のいずれか一方に内側ロック部材１８を選択的に位置させ、ロック部材１８とロック部材対応装置２０とを各々結合し、または分離する。
【００３４】
図２および図３は、ストレージメディアを保管するための本発明によるロック可能な容器３０の一例を示す平面図および斜視図である。容器３０は、第１カバー３２、第２カバー３４、およびその間に配置された突起部（ｓｐｉｎｅ）３６を含む。第１カバー３２および第２カバー３４は、ヒンジ部を形成するために、突起部３６に枢動可能に結合される。
【００３５】
第１カバー３２は、容器３０内に保管されたストレージメディアと関連したブックレット等のドキュメントを保持するために用いられる、弾性の二つのドキュメント保持部材５１、５３を含んでもよい。
【００３６】
第２カバー３４は、図４に詳しく示されたハブ３８によりストレージメディアまたは他の資産を受容し、または保持してもよい。使用の際、ストレージメディア（図示せず）がハブ３８上に置かれる場合、ストレージメディアの中心部の開口部は、弾性部材４０の回りに置かれる。四つの弾性部材４０が示されているが、これは例示的なものに過ぎず、任意の適切な数の弾性部材が用いられることに留意すべきである。下向きの力がストレージメディアに加えられ、ストレージメディアの開口部と弾性部材４０との係合に起因して、空間４２のさらに内部に弾性部材４０を曲げさせる。ストレージメディアに十分な下向きの力を加える際、弾性部材４０の外周がストレージメディアの外周より小さくなるように、弾性部材４０がさらに内部に曲げられ、ストレージメディアを錐台４４上に置かれるようにする。この際、弾性部材４０は、本来の弾性力によりその元位置に戻され、またストレージメディアが錐台４４上に保持される。ストレージメディアを取り外すために、ユーザはハブ３８上に力を加え、ハブからストレージメディアを持ち上げることができる。よって、ストレージメディアは、損傷なしにハブ３８上に安全に置かれ、またハブ３８から除去される。
【００３７】
図４のハブ３８は例示的なものに過ぎず、ある適切なハブが、容器３０内にストレージメディアを受容および保持するために用いられることに留意すべきである。例えば、代表的なハブが、２０００年１０月２５日付で出願された米国特許出願整理番号第０９／６９６，６１４および２００２年２月２８日に公開された米国特許公開番号第２００２／００２３８５３号に記載されており、両者が参照としてここに組み込まれた。
【００３８】
図１と関連して、上述したロック可能な容器の一例のように、容器３０は、内側ロック部材とともに動作するようにデザインされた。容器３０と用いるロック部材１００の一例が、図５および図６に示されている。ロック部材１００は、第１および第２カバー３２および３４の一方または両方に形成された複数の対応Ｉ−ビーム係合タブまたは突出部と相互作用する複数のＩ−ビーム係合部を含んでもよい。以下に詳しく説明されるように、ロック部材１００は、第１および第２カバー３２および３４の一方または両方に形成された対応Ｉ−ビーム係合タブをトラップピングして、閉鎖位置においてＩ−ビーム係合部のロック溝部に容器３０をロックする。
【００３９】
ロック部材１００は、外部磁気キー装置（例えば、後述の図１５のキー装置３００を参照）と磁気的に結合されるように構成されるロック部材の端部に配列された少なくとも一つのスプリングアームを含む。スプリングアームは、ロック部材１００をロック位置およびロック解除位置に交互に移動させる。図５および６に示された実施例および下記にさらに詳しく説明するように、ロック部材１００は、ロック部材の対向端部に配列されたスプリングアーム１０２および１０４を含む。
【００４０】
図５および図６に示すように、ロック部材１００は、容器３０内の関連タブまたは突出部を係合する多重Ｉ−ビーム係合部を含む。ロック部材１００は、“単一係合部”として言及される三つの係合部１０６、１０８、および１１０を含む。“単一係合部”は、ロック部材１００の対向側に如何なる対応係合部も持たない係合部を意味する。ロック部材１００は、“二重係合部”として言及される八つの係合部１１２と１１４、１１６と１１８、１２０と１２２、および１２４と１２６を含む。“二重係合部”は、ロック部材１００の対向側に対応係合部を有する係合部を意味する。三つの単一係合部および八つの二重係合部を有するロック部材１００をここで説明しているが、このような配置は例示的なものに過ぎず、ロック部材１００は、ある適切な配列およびある適切な個数の係合部を有することができるということに留意すべきである。
【００４１】
ロック部材１００の二重係合部（すなわち、符号１１２ないし１２６の係合部）は、容器１００（図２および図３を参照）の第１カバー３２および第２カバー３４の関連タブを係合するように構成される。第２カバー３４と関連して、二重係合部は、次のようにタブを係合できるようにする。二重係合部１１２および１１４は、各々タブ５０および５２を係合するように構成され、二重係合部１１６および１１８は、各々タブ５４および５６を係合するように構成され、二重係合部１２０および１２２は、各々タブ５８および６０を係合するように構成され、また二重係合部１２４および１２６は、タブ６２および６４を係合するように構成される。第１カバー３２と関連して、二重係合部は、次のようにタブを係合できるようにする。二重係合部１１２および１１４は、各々タブ６６および６８を係合するように構成され、二重係合部１１６および１１８は、各々タブ７０および７２を係合するように構成され、二重係合部１２０および１２２は、各々タブ７４および７６を係合するように構成され、また二重係合部１２４および１２６は、タブ係合部７８および８０を係合するように構成される。
【００４２】
単一係合部１０６、１０８、および１１０は、第２カバー３４のタブ部８２、８４、および８６および第１カバー３２の対応タブ部８８、９０、および９２を係合するように構成される。
【００４３】
各係合部（すなわち、係合部１０６ないし１２６）は、ロック溝およびリリース溝を含む。容器３０が閉じられ、第１カバー３２上のタブ部が第２カバー３４上の対応タブ部と一列に並ぶと、ロック部材１００がロック位置にスライドし、各ロック溝がその間の対応タブ部を捕捉しトラップして対応するタブ部が分離することを防止するように、各種ロック溝がデザインされる。このような配列は、容器３０が開くのを防止する。
【００４４】
特に、係合部１０６、１０８、および１１０は、各々ロック溝およびリリース溝１２８と１３０、１３２と１３４、および１３６と１３８を有する。係合部１１２および１１４は、ロック溝１４０および１４２を各々含む。係合部１１２および１１４用のリリース溝に関し、係合部は、容器３０（図７を参照）内に“リリース溝”９３を共有する。実際、リリース溝９３は、容器３０内の空間である。係合部１１６および１１８は、ロック溝およびリリース溝１４４および１４６、１４８および１５０を各々含む。係合部１２０および１２２は、ロック溝およびリリース溝１５２および１５４、１５６および１５８を各々含む。係合部１２４および１２６は、ロック溝およびリリース溝１６０および１６２、１６４および１６６を各々含む。
【００４５】
第１カバーおよび第２カバー３２および３４のタブとロック部材１００のロック溝およびリリース溝との相互作用の簡単な例は、以下のとおりである。第１カバー３２が第２カバー上に閉じられると、タブ６６および６８は、各々対応タブ５０および５２に対応し、またタブ８８は、対応タブ８２に対応する。この位置において、タブ５０および６６は、容器３０のリリース溝９３（すなわち、空間９３）内に横切って置かれ、タブ５２および６８は、容器３０のリリース溝９３内に横切って置かれ、またタブ８８および８２は、単一係合部１０６のリリース溝１３０内に横切って置かれる。タブがリリース溝内に置かれて溝を横切るので、容器を開くことができる（例えば、図８および９においてロック解除位置におけるロック部材１００を参照）。
【００４６】
容器３０をロックするために、ロック部材３０は、対応タブと適切のロック溝を係合できるようにする方向でスライドされる。これは、ロック溝内に対応タブを捕捉して開口部からタブが分離することを防止し、結果として容器が開くことを防止する。つまり、第１カバー３２が第２カバー３４から引き離されるとき、第１カバー３２の関連タブが各種リリース溝を自由に横切ることができないため、容器は開かれなくなる。例えば、ロック部材３０がロック位置にスライドされると、対応タブ５０および６６は、二重係合部１１２のロック溝１４０内に捕まり、対応タブ５２および６８は、二重係合部１１４のロック溝１４２内に捕まり、また対応タブ８２および８８は、単一係合部１０６のロック溝１２８内に捕まる。ロック溝は、第１カバー３２のタブ６６および６８が各々対応タブ５０および５２から分離することを防止し、また第１カバーのタブ８８が第２カバーの対応タブ８２から分離することを防止する。残留タブ部は、閉鎖位置において容器を安全にロックするように、対応ロック溝内に類似して捕まる。
【００４７】
図７は、ロック解除位置においてその中に挿入されたロック部材１００を有する容器３０を示す。ロック部材１００は、容器が製造された後に、容器３０内に挿入されてもよい。例えば、ロック部材１００は、容器が製造される位置において容器３０内の場所にスナップ（ｓｎａｐ）されてもよい。図７に示すように、本発明のいくつかの実施例においては、ロック部材１００の少なくとも一端部は、安全性を高めるために容器３０のエッジで延長されることができる。これは、例えば、容器を開けようとする泥棒が容器３０の角から覗くことを防止することができる。
【００４８】
いくつかの実施例においては、容器３０の成形またはスタンピング工程時、ロック部材１００は、必要に応じてオフラインで製作および組み立てされることができる。その後に、フィルムが取り付けられる前および容器を閉める前、成形またはスタンピング工程の最後のステップの際、ロック部材１００が容器に挿入されてもよい。
【００４９】
ロック部材１００は、錠受容空間９４（図２参照）において第２カバー３４に置かれ、好ましくは、空間内のスライディング係合部に置かれる。これは、ある適切な方法により達成される。例えば、上述したように、ロック部材１００は、タブ５６および５４間およびタブ６４および６２間の調整係合部１１６および１１８と調整係合部１２４および１２６により錠受容空間９４（図２参照）でスナップ式に嵌め込まれてもよい。タブは、元位置に安全にロック部材１００を保持する。
【００５０】
図５および図６に示すように、ロック部材１００は、ロック部材と一体形成された二つのスプリングアーム１０２および１０４を含む。スプリングアームがロック部材とともに形成された図に示された実施例は、例示的なものに過ぎないことを留意しなければならない。スプリングアームは、第１カバー３２および第２カバー３４の一方または両方と一体に交互に形成されてもよい。スプリングアーム１０２および１０４は、第１カバー３２に形成された停止部９５および第２カバー３４に形成された停止部９６と結合して各々動作するように構成される。スプリングアーム１０２および１０４は、磁気キー装置により作用され、例えば、ロック部材１００をロックおよび解除位置に選択的に移動するように構成される。このために、スプリングアーム１０２および１０４は、金属挿入部１７４および１７２を有するロックヘッド部１７０および１６８を各々含んでもよい。
【００５１】
このような方式で、磁気キー装置（例えば、図１５の磁気キー装置３００）の第１磁気装置は、方向１７６にスプリングアーム１０４を移動させるように動作する一方、磁気キー装置の第２磁気装置は、方向１７８にスプリングアーム１０２を移動させるように動作する。特に、スプリングアーム１０２および１０４は、各々ロック面１７１および１６９を有するロックヘッド部１７０および１６８を各々含む。ロック面１７１および１６９は、容器３０をロックし解除するために、各停止部９６および９５を係合するように構成される。スプリングアーム１０２および１０４が一度移動されると、スプリングアームは、関連停止部９５および９６から離脱できる。このような方式で、ロック部材１００は、ロック位置（例えば、図８および９に示すように）、またはロック解除位置（例えば、図１０ないし１２に示すように）の何れか一方にスライド可能に移動される。
【００５２】
例えば、磁気キー装置（図１５の磁気キー装置３００を参照）の第１および第２磁気装置は、スプリングアーム１０４および１０２を引き寄せて、各々方向１７６および１７８にスプリングアームを移動させる。磁気キー装置の第１および第２磁気装置は、容器３０が磁気キー装置内チャンネルを介してスライドする間、第１および第２磁気装置により発生した第１および第２磁場内にスプリングアーム１０４および１０２を保持することができる。このような磁力は、適所にロック部材１００を保持するようにして、容器３０が磁気キー装置のチャンネル内で移動する間、ロック面１７１および１６９が停止部９５および９６から離脱できるようにする。ロック部材１００と容器３０との間の相対運動は、ロック部材をロックまたはロック解除位置のいずれか一方に位置できるようにする。
【００５３】
スプリングアーム１０２および１０４がロック部材１００と一体に形成された（例えば、成形された）本発明の実施例においては、磁気挿入部１７４および１７２がスプリングアーム内に適切に位置するよう、スプリングアームを、ロック部材の縦軸との配列から外れて回転させる必要がある。しかし、ロック部材３０との配列から外れて各々のスプリングアーム１０２および１０４を回転させる工程は、スプリングアームに不要なバイアスを引き起こし、ロックヘッド部１７０および１６８をロック部材の縦軸に、垂直方向から外方に移動させることができる。よって、各スプリングアーム１０２および１０４には、フック１８４および１８０およびフックキャッチ部１８６および１８２が各々供されてもよい。このような方式で、スプリングアームがロック部材１００の縦軸に垂直で突出しないように、スプリングアーム１０２および１０４は、磁気挿入部１７４および１７２を各々挿入した後、正確に位置されることができる。
【００５４】
図１３および図１４に示すように、容器３０は、容器のロックまたはロック解除状態を示すステイタスウインドゥ９１を含んでもよい。一例において、第１および第２カバー３２および３４は、容器３０の閉鎖状態において、ステイタスウインドゥ９１を形成する切り欠き部７５および７７を各々含んでもよい（図３参照）。いくつかの実施例においては、ステイタスウインドゥ９１は、ロック部材１００の少なくとも一部がユーザに見えるようにする。
【００５５】
図１３および１４に示すように、ロック部材１００の表面上にある状態部１９０は、ロックおよびロック解除状態情報を含む。状態情報は、公知のある方法によりその上に配列されてもよい。ロック部材１００がロック位置とロック解除位置との間をスライドする間、適切な状態情報、および結果的にロック部材の位置がステイタスウインドゥ９１を介して現われ、ユーザが読むようにする。一例として、ロック部材１００の状態部１９０は、緑色の開状態１９４および赤色の閉状態１９２を示すシールを含んでもよい。よって、ロック部材１００がロック位置にスライドされる場合、赤色の閉状態１９２がステイタスウインドゥ９１を通じて示される（図１３を参照）。ロック部材１００がロック解除位置にスライドされる場合、緑色の開状態１９４がステイタスウインドゥ９１を通じて示される（図１４を参照）。
【００５６】
図１５ないし１７は、本発明に係る代表的な磁気キー装置３００を示す。図１５は、磁気キー装置３００の分解斜視図を示す。磁気キー装置３００は、例えば、ロック位置とロック解除位置で容器にロック部材を位置させるように、容器３０とロック部材１００に関連して用いられる。磁気キー装置３００は、容器３０の側面エッジ（図７を参照）を受容するチャンネル３０２を含んでもよい。磁気キー装置は、磁気キー装置の対向面および対向端部に埋め込まれた第１磁気装置３０４および第２磁気装置３０６を含んでもよい。磁石３０４および３０６は、例えば、容易に入手できない市販されていない磁石であってもよい。磁石３０４および３０６は、異なるサイズであるため、磁石を非常に操作しにくい。
【００５７】
代表的な実施例において、第１および第２磁気装置３０４および３０６は、容器３０をロック解除するために、スプリングアーム１０４を方向１７６（磁気装置３０６）に、またスプリングアーム１０２を方向１７８（磁気装置３０４）に移動するように、金属挿入部１７２および１７４（図６参照）と相互作用するようにデザインされた磁石などである。同様に、第１および第２磁気装置３０４および３０６は、容器３０をロックするために、スプリングアーム１０２を方向１７６（磁気装置３０６）に、またスプリングアーム１０４を方向１７８（磁気装置３０４）に移動するように、金属挿入部１７２および１７４（図６参照）と相互作用するようにデザインされた磁石などである。
【００５８】
本発明のキー装置３００が第１および第２磁石装置３０４および３０６を示すが、磁石の数とそれらの組み合わせは、所望により増加させることが可能であることに留意すべきである。例えば、キー装置３００は  三つの磁石を含んでもよい。容器３０をロック解除するために、泥棒が三つの磁石を正確に操作することは非常に困難である。
【００５９】
磁気キー装置３００は、例えば、キーロック機能、キーロックカウンター・マウント機能、承認−拒否機能、またはそれらの組み合わせ等の代表的なセキュリティ機能を含んでもよい。このような機能は、以下に詳しく説明される。
【００６０】
本発明の“キーロック”機能は、ロックされた磁気キー装置３００をロックし、それにより、例えば、レジに人がなく、または店が閉められた場合、容器３０をロック解除するために磁気キー装置を使用することを防止する。いくつかの実施例においては、チャンネル３０２は、キーアセンブリ３１０に動作可能に連結されたブロッキング部材またはバー３０８を含む。キーアセンブリ３１０は、ロック位置（図１７参照）およびロック解除位置（図１６参照）にブロッキング部材３０８を移動するように構成され、配列される。
【００６１】
ロック位置（図１７参照）にブロッキング部材３０８を移動させるため、適切なキーがキーアセンブリ３１０に挿入され回される。バー３０８は、その後リリースされ、チャンネル３０２の表面と垂直方向に延長される。このようなロック位置において、バー３０８は磁気キー装置３００を動作不能にして容器がチャンネル３０２を通じて“スライディング”することを防止する。これは、容器をロック解除し、またはロックするために磁気キー装置３００を用いる場合、権限のない使用を防止する。例えば、泥棒が人がいないレジに簡単に入って容器をロック解除することを防止する。本発明のキーロック機能は、店が閉められた後に、磁気キー装置３００を停止させてさらに内部窃盗をも防止する。
【００６２】
磁気キー装置３００（図１６参照）をロック解除するために、適切なキーがキーアセンブリ３１０に挿入されて、チャンネル３０２からバー３０８を移動させる方向に回される。いくつかの実施例においては、チャンネル３０２からバー３０８を移動させるために、バーは、チャンネルから回転されて、チャンネル３０２の表面下に延ばすグルーブ３１２に位置する（例えば、図１６を参照）。
【００６３】
本発明の“キーロックカウンターマウント”機能は、磁気キー装置３００を、例えば、小売店のレジに固定および分離可能に結合されるようにする。磁気キー装置３００は、磁気キー装置３００をロックして解除する第２キー装置３１４の使用により、レジにリリース可能に取り付けられる。第２キー装置３１４は、ある適切な方法を利用してレジに永久的に取り付けられる永久装着板３１６と結合して動作する。
【００６４】
いくつかの実施例においては、磁気キー装置３００は、下部カバー３１８により装着板３１６にリリース可能に取り付けることができる。下部カバー３１８は、装着板３１６に形成された関連キャッチ部３２２にスライド可能に係合するように構成されて配列されたフック部３２０を含んでもよい。フック部３２０は、潜在的な泥棒が磁気キー装置３００を装着板３１６から強引に取り除くことができないほど充分強い。例えば、フック部３２０は、強度の増加のために強化壁を含んでもよい。
【００６５】
第２キー装置３１４は、下部カバー３１８および装着板３１６のグルーブ３２６および３２８を各々横切って構成されて配列される第２ブロッキング部材またはバー３２４を含んでもよい。グルーブ３２６および３２８は、磁気キー装置３００の下部カバー３１８が装着板３１６にスライド可能に係合しているとき、線形に配列される。第２バー３２４がグルーブ３２６および３２８を横切る場合、下部カバー３１８は、装着板３１６と係合されずにスライディングされることはない。
【００６６】
磁気キー装置３００がレジにロックされているロック位置に第１バー３２４を移動させるために、下部カバー３１８は、装着板３１６と係合してスライドされる。適切なキーが、その後、第２キーアセンブリ３１４に挿入されて回転される。バー３２４は、その後リリースされ、グルーブ３２６および３２８を横切って延ばす。レジから磁気キー装置３００をロック解除するために、適切なキーがキーアセンブリ３１４に挿入されてグルーブ３２６および３２８からバー３２２を移動させる方向に回転される。磁気キー装置３００は、その後、装着板３１６と係合されずにスライドする。
【００６７】
本発明の“承認−拒否”機能は、上述したキーロックまたはキーロックカウンター・マウント機能のいずれか一つに付加したり組み合わせたりして用いられる。承認−拒否機能により、泥棒が磁気キー装置３００を強引に変更させようとする場合（例えば、小売店のレジから取り外そうとする場合）、磁気キー装置３００は、使用できないように“崩壊”される。いくつかの実施例においては、ユニットの強制的な変更は、磁石３０４および３０６を共に消えるようにして用いられないようにユニットを破壊するように、磁気キー装置３００が製造されてもよい。磁気キー装置３００は、特定のアセンブリ工具なしには容易に再び組み立てできないように製造されてもよい。
【００６８】
安全のために、公知のＥＡＳまたはＲＦＩＤタグ（例えば、ＡＭまたはＲＦ活性可能なセキュリティタグ）（図示せず）のいずれか一つが、磁気キー装置３００の外部ケース３３０内または装着板３１８上に装着されてもよい。そのような実施例において、ＡＭまたはＲＦ感知器は、小売店内に置かれ、権限のないユーザが磁気キー装置３００を盗もうとしようとすることや、または、例えば盗難された磁気キー装置が店に入ってきたことを感知する。活性可能なタグがアラームを発生させ、警備担当者に通知する。
【００６９】
いくつかの実施例においては、磁気キー装置３００は、ロック可能な容器３０のロック状態を聴覚方式、触感方式、光学方式、視覚方式、またはそれらの組み合わせによる方式でユーザに知らせるように構成されてもよい。例えば、磁気キー装置３００は、容器３０のロック状態またはロック解除状態を表示するために、いくつかのインジケータまたは確認リダンダンシー（例えば、可聴、触感、または光学インジケータ、またはそれらの組み合わせ）を含んでもよい。一例として、磁気キー装置３００は、可聴インジケータをユーザに知らせるスピーカ装置（図示せず）を含んでもよい。他の例において、磁気キー装置３００は、ロック可能な容器からの震動信号等の触感インジケータをユーザに伝えるように構成されてもよい。また別の例において、磁気キー装置３００は、光学インジケータをユーザに知らせる少なくとも一つの光源（例えば、ＬＥＤ、ランプ、または他の適切な光源）を含んでもよい。
【００７０】
いくつかの実施例においては、磁気キー装置３００は、“データベースの機能により識別化、直列化ウェッブサーバー”を含んでもよい。バーコード（図示せず）は、例えば、磁気キー装置３００の外部ケース３３０上に置かれてもよい。バーコードは、例えば、多数の製品番号またはシリアル番号、店または権限を有するユーザの氏名、またはＩＤ番号、製品が権限を有するユーザに販売またはリースされた日付、または他の適切な情報を示すことができる。これはシリアル番号、製造情報および小売業者、複製者などに供給されたキー装置の店ＩＤを含むデータベースを通じて盗まれた磁気キー装置を追跡できるようにする。盗まれた磁気キー装置は、その後、最終登録された権限を有するユーザに遡ってきて追跡されてもよい。
【００７１】
図１８および１９は、容器３０内のロック位置およびロック解除位置にロック部材１００を各々位置させる方法を現わしている。
【００７２】
ロック位置にロック部材１００を一致させ容器３０をロックするために、容器３０の側面エッジ９７が、図１８に示された方向でチャンネル３０２内に位置される。スプリングアーム１０２は、磁石３０６と配列され（図１５参照）、またスプリングアーム１０４は、磁石３０４と配列される（図１５参照）。この位置において、スプリングアーム１０２の金属挿入部１７４が磁石３０６の方に引き寄せられ、方向１７６（図６参照）にロックヘッド部１７０を移動させる。同時に、スプリングアーム１０４の金属挿入部１７２が磁石３０４の方に引き寄せられ、方向１７８（図６参照）にロックヘッド部１６８を移動させる。スプリングアーム１０２および１０４の移動は、各スプリングアームのロック面をそれらの各停止部から移動させる。特に、スプリングアーム１０２のロック面１７１は、停止部９６から移動され、またスプリングアーム１０４のロック面１６９は、停止部９５から移動される。これは、ロック部材１００を、上述したように、また、例えば図１０ないし１２に示すように、ロック位置にスライド自在にする。ロック部材１００は、方向３４８に容器３０の移動によりロック位置に到逹することができる。実際に、ロック部材１００が停止して磁石３０４および３０６により適所に保持される間、容器３０は、チャンネル３０２（図１５参照）を通じてスライドする。特に、スプリングアーム１０２および１０４は、磁石３０６および３０４により各々発生された磁場によって適所に保持されてもよい。ロック部材１００がロック位置に移動した後に、スプリングアーム１０２のロック面１７１は、停止部９６の対向側上に位置し、またスプリングアーム１０４のロック面１６９は、停止部９５の対向側上に位置する（図１０ないし１２に示された位置決定を参照）。停止部９５および９６は、方向１９０（図１０参照）にロック部材１００がスライドすることを防止して、ロック部材１００がロック解除位置に移動することを防止する。
【００７３】
ロック解除位置にロック部材１００を係合するようにして容器３０をロック解除するために、容器３０の側面エッジ９７は、図１９に示された方位において、チャンネル３０２（図１５参照）内に位置される。スプリングアーム１０２は、磁石３０４と配列され、またスプリングアーム１０４は、磁石３０６と配列される。この位置において、スプリングアーム１０２の金属ピン１７４は、磁石３０４の方に引き寄せられ、ロックヘッド部１７０を方向１７８（図６参照）に移動させる。同時に、スプリングアーム１０４の金属挿入部１７２は、磁石３０６の方に引き寄せられ、ロックヘッド部１６８を方向１７６に移動させる。スプリングアーム１０２および１０４の移動は、各スプリングアームのロック面をそれらの各停止部から移動させる。特に、スプリングアーム１０２のロック面１７１は、停止部９６から移動され、またスプリングアーム１０４のロック面１６９は、停止部９５から移動される。これは、ロック部材１００を上述したように、また、例えば図８および９に示すように、ロック解除位置にスライド自在にする。ロック部材１００は、方向３５０で容器３０の移動によりロック解除位置に到逹することができる。実際に、ロック部材１００が停止して磁石３０４および３０６によって適所に保持される間に、容器３０は、チャンネル３０２（図１５参照）を通じてスライドする。特に、スプリングアーム１０２および１０４は、磁石３０６および３０４により各々発生した磁場により適所に保持されてもよい。ロック部材１００がロック解除位置に移動した後に、スプリングアーム１０２のロック面１７１は、停止部９６の対向側面上に位置され、またスプリングアーム１０４のロック面１６９は、停止部９５の対向側面上に位置される（図８および９に示された位置決定を参照）。停止部９５および９６は、方向１９２（図８参照）にロック部材１００がスライドすることを防止して、ロック部材１００がロック位置に移動することを防止する。
【００７４】
図１９に示された容器３０をロック解除する方法の代案として、容器（図１８参照）をロックするために挿入された方位と同一の方位に容器をチャンネル３０２に再挿入することにより、容器がロック解除されてもよい。そのような位置において、容器３０は、方向３５０に移動されて、容器をロック解除することができる。
【００７５】
容器３０（図２参照）は、例えば、参照としてここに組み込まれたラックス（Ｌａｘ）の米国特許第６，５６１，３４７号に記載される多数のセキュリティ機能を含んでもよい。例えば、容器３０は、容器の上部および下部エッジの変更を防止する“重複壁”を含んでもよい。図３に示すように、第１カバー３２は、その上部および下部エッジから延ばす壁３１および３３を含むことができ、また第２カバー３４は、その上部および下部エッジから延ばす壁３５および３７を含んでもよい。好ましくは、壁３１、３３、３５、および３７は、容器３０の全幅、または少なくともほぼ全幅を広げる。第１カバー３２が第２カバー３４上に閉じられるとき、第２カバー３４の壁３５は、第１カバー３２の壁３１の後ろに置かれ、また第２カバー３４の壁３７は、第１カバー３２の壁３３の後ろに置かれる。第２カバー３４の壁３７および３５は、第１カバー３２の壁３３および３１の後ろに各々置かれるとき、重複または二重壁は、結果としてさらに堅い容器３０を作り、二重または重複壁の位置で壊れるようにする。
【００７６】
図２０は、本発明に係る容器３０と結合して用いられる他のセキュリティ機能を示す。容器３０の一部が閉じられた状態が図２０に示されている。第１カバー３２の壁３３は、第２カバー３４の壁３７と重なり合う。壁３３および壁３７は、シーム部３９で触れる。いくつかの実施例においては、上部位置で壁３７と触れるように、壁３３は、長手方向に延びるか、第２カバー３４の対向側４１に延びる。好ましくは、対向壁３１および３５は、壁３３および３７と同一の方式で相互作用する。結果的に、シーム部３９は、第２カバー３４の対向側面４１の上部に位置され、または第２カバーの対向側面に延びる。そのような構成は、シーム部３９が第２カバー３４の対向側面４１を一般的に覆う表示材により覆われるため、有利である。このように、シーム部が隠されているため、シーム部３９が変更される可能性は減少する。
【００７７】
図２１および２２は、ストレージメディアを安全に保管する本発明によるロック可能な容器４００の他の一例を各々示す平面図および斜視図である。上述した容器３０およびロック部材１００と対照的に、容器４００は容器の内容物を安全に保管するようにロック部材５００の関連部分を係合するように構成された各種ループを有する。
【００７８】
容器４００は、第１カバー４０２、第２カバー４０４、およびその間に配置された突部４０６を含む。第２カバー４０４は、ストレージメディア（図示せず）を保有することができる。第１カバー４０２および第２カバー４０４は、ヒンジ部を形成するために、突部４０６と枢動可能に結合される。ヒンジ部は、第１および第カバー４０２および４０４を互いに回転するようにして第１カバーと第２カバーが互いに触れて結合され、ストレージメディアまたは他の資産を包んで安全に保管する。
【００７９】
第１カバー４０２は、容器４００内に安全に保管されたストレージメディアと関連するブックレット等のドキュメントを保持するために用いられる弾性の二つのドキュメント保持部材４０８、４１０を含んでもよい。第２カバー４０４は、ストレージメディア（図示せず）を保持するようにハブ４１２を含んでもよい。ハブの一例が図４に関連して上述されている。
【００８０】
図２３および図２４は、本発明に係る容器４００とともに用いるためのロック部材５００を例示的に図示した斜視図である。ロック部材５００は、ロック位置およびロック解除位置に選択的にスライドされることができるように、容器４００にスライド可能に連結される。
【００８１】
第１および第２カバー４０２、４０４は、閉鎖位置で容器４００をロックするために、ロック部材５００と相互作用する複数のループを含んでもよい。ロック部材５００は、容器４００内に挿入されて、各々ロック位置とロック解除位置の方向４１４、４１６（図２５参照）にスライドされることができる。
【００８２】
ロック部材５００は、成形されたスプリングアーム５０２、５０４を含んでもよく、このスプリングアーム５０２、５０４は、下記においてさらに詳しく説明されるように、ロック状態にある場合、ロック部材５００がロック解除位置にスライドすることを防止し、ロック解除状態にある場合、ロック部材５００がロック位置にスライドすることを防止するのに用いられる。このスプリングアーム５０２、５０４は、本発明の目的を満たす一つの任意の他の適切な装置を取ることができる。例えば、ロック部材５００の場合、成形されたスプリングアーム５０２、５０４は、ロック部材５００の部分としてよりも、容器４００の第２カバー４０４の部分として含まれる金属板スプリング（図示せず）であってもよい。
【００８３】
ロック部材５００は、ロックタブ（ｔａｂ）５０６、５０８、５１０、５１２を含み、下記において詳しく説明されるように、このロックタブは、閉鎖位置で容器をロックするように容器４００の各側面に形成された隣接する対応ループ４２０と４２８、４２２と４３０、４２４と４３２、および４２６と４３４と各々係合するようになる。このロックタブおよびループは、上述された容器３０およびロック部材１００の結合および受容構造と同様に機能する。容器４００が閉鎖位置にある場合、ループが隣接する関係にあるように、ループ４２０、４２２、４２４、４２６は、第２カバー４０４に配置され、ループ４２８、４３０、４３２、４３４は、第１カバー４０２に配置される。例えば、容器４００が閉じられてロックされるようになると、ループ４２０はループ４２８と隣り合うようになり、ループ４２２はループ４３０と隣り合うようになり、ループ４２４はループ４３２と隣り合うようになり、ループ４２６はループ４３４と隣り合うようになる。図２５および図２６に示すように、ロックタブ５０６、５０８、５１０、５１２は、ロック部材５００がロック解除位置にある場合、少なくとも部分的に対応ループ内にあるように構成および配置される。これにより容器が閉鎖位置にある場合、ロック部材５００のロックタブはさらに容易にスライドして、容器４００のループと結合することができるようになる。
【００８４】
ロック部材５００は、例えばこの部材を容器内へスナッピング（ｓｎａｐｐｉｎｇ）して容器４００内に挿入してもよい。実施例において、ロック部材５００には、容器４００のタブ部４３９とスナップ式に固定されてこのタブ部の下側に位置する肩部５２０が含まれる（図２１および図２２）。この肩部５２０により、ロック部材がロック位置とロック解除位置との間でスライドする場合にも、ロック部材５００が容器４００内で安定に保持される。
【００８５】
いくつかの実施例において、容器４００の内部端から容器に挿入されたブックレットまでの有效製作距離（ｗｏｒｋｉｎｇ  ｄｉｓｔａｎｃｅ）は、約７．５ｍｍであってもよい。このような実施例において、ロック部材５００は、有效空間の約５ｍｍを占めることができる。
【００８６】
ロック部材５００は、図２８および図２９の磁気キー装置６００等の外側磁気キー装置とともに用いられるように設計され、容器４００を各々ロックおよびロック解除させる。特に、磁気キー装置６００は、内部ロック部材５００をロック位置またはロック解除位置のいずれか一方に選択的に位置決定させる。このような目的のために、内部ロック部材５００は、磁気誘引部を含み、この磁気誘引部は、磁気キー装置６００の少なくとも一つの磁気装置に磁気的に連結されるように形成される。例えば、金属挿入部５２０、５２２が、ロック部材５００の対向端部に各々挿入され、金属挿入部５２４、５２６が、スプリングアーム５０２、５０４内へ各々挿入されてもよい。
【００８７】
図２６ないし図２９に示すように、資産を安全に保管するために容器４００を用いると、第１カバー４０２は、第２カバー４０４の方に枢動される。すると、第１および第２カバー４０２、４０４におけるループ（すなわち、４２０、４２２、４２４、４２６、４２８、４３０、４３２、４３４）は、上述されたように、また図２６に示すように、隣り合う関係になる。図２６に示された位置では、ロックタブ５０６、５０８、５１０、５１２をループ４２０〜４３２と互いに係合させるようにすることにより、容器４００がロックされる用意ができる。特に、容器４００は、図２８に示すように、磁気キー装置６００のチャンネル６０２に挿入されることができる。ロック部材５００は、磁気キー装置６００に内蔵した磁石６０４、６０６、６０８と相互作用する。特に、磁石６０８は、スプリングアーム５０２と配列され、磁石６０４、６０６は、挿入部５２２と配列される。磁石６０８は、スプリングアーム５０２を方向５３０（図２３）に引き寄せて、スプリングアーム５０２がこれ以上停止部４４０と接触関係とならないようにする。これにより、ロック部材５００は、方向４１４（図２５）にスライドできるようになる。
【００８８】
スライド作用の結果として、ロックタブ５０６がループ４２０、４２８と相互係合し、ロックタブ５０８がループ４２２、４３０と相互係合し、ロックタブ５１０がループ４２４、４３２と相互係合し、ロックタブ５１２がループ４２６、４３４と相互係合するため、ロック部材５００は、閉鎖位置で容器４００をロックするようになる。ロック部材５００のロックされた位置が図２７に図示される。一旦ロックされると、スライディング作用の結果としてスプリングアーム５０２が停止部４４０に対し接触するようになるため、ロック部材５００は、方向４１６に移動することができなくなる。
【００８９】
ロック部材５００が、方向４１４、４１６にスライドできるようにするために、任意の数の磁石または組み合わせが用いられる。例えば、図２８および図２９に示した側面よりは、磁気キー装置の端部に、一つ以上の磁石が位置されることができる。このような構成において、磁石の配置は、ロック部材５００を引き寄せるようになり、これによりロック部材が方向４１６にスライドするようになる。
【００９０】
図２７および図２９を参照すると、容器４００をロック解除するために、容器は１８０°回転されて磁気キー装置６００のチャンネル６０２内に挿入されることができる（他の方法として、ロック部材５００は、装置３００（図１５）等の磁気キー装置とともに用いられてもよく、この装置には、キー装置の全長を延長させるチャンネルが備えられてもよい。）。容器４００をロック解除する過程は、実質的に上述した過程の逆である。ロック部材５００は、図２９に示すように、磁気キー装置６００に内蔵した磁石６０４、６０６、６０８と相互作用する。磁石６０８は、スプリングアーム５０４と配列され、磁石６０４、６０６は、挿入部５２０と配列される。磁石６０６がスプリングアーム５０４を方向５３０（図２３）に引き寄せるようになり、スプリングアーム５０４は、これ以上、停止部４４２と当接しなくなる。これにより、ロックバーが方向４１６にスライドすることができるようになる。上述したように（すなわち、磁石６０４、６０６により生成された磁場の中心部に挿入部５２０を引き寄せることにより）、磁石６０４、６０６は、ロック部材５００を方向４１６にスライドできるようにする。スライディング作用の結果として、ロックタブ５０６は、一旦、ロック解除されたループ４２０、４２８との相互係合関係から移動するようになり、ロックタブ５０８は、ロック解除されたループ４２２、４３０との相互係合関係から移動するようになり、ロックタブ５１０は、ロック解除されたループ４２４、４３２との相互係合関係から移動するようになり、ロックタブ５１２は、ロック解除されたループ４２６、４３４との相互係合関係から移動するようになるので、結果的にロック部材５０４は、ロック解除位置に移動するようになり、スライディング作用の結果として、スプリングアーム５０４は停止部４４２と接触するので、ロック部材５０４は、方向４１４に移動することができなくなる。停止部４４２は、また、運送途中に容器４００のロック部材５００をロック解除位置に保持するのに役立つ。
【００９１】
三つの磁石磁気キー装置（例えば、磁気キー装置６００）が特に安全である点が知られているが、これは、泥棒が磁石を操作して容器をロック解除することが非常に難しいためである。しかし、本発明の磁気キー装置は、四つの磁気誘引部とともに作用する三つの磁石を示しているが、磁石の数、磁気誘引部の数、およびこれらの組み合わせの数は、効率的な安全性のためには、増加させてもよく、效率や製造を容易なものとするためには、減少させてもよい。また、安全性を向上するために、前記磁石は、容易に入手することができない市販されていない磁石であってもよく、磁石が異なる大きさを有するように形成されてその操作をさらに難しくすることもできる。また、磁気キー装置は、対向エッジ側に鋼の挿入部を含ませてもよく、飽和されたバイアスタイプ（ｂｉａｓ−ｔｙｐｅ）の永久磁石であってもよい。
【００９２】
挿入部５２０、５２２、５２４、５２６および対応磁石６０４、６０６、６０８により七つの変数ができ、この変数は、ドアロック装置のシリンダーを変化させるのと同様、異なる錠およびキーの組み合わせを生成するように変化されてもよい。例えば、ひとつ以上の挿入部５２０、５２２、５２４、５２６が金属材料または半金属系材料から製造され、多様な直径または形状を有することもできる。挿入部の大きさおよび材料のいずれか一方または両方を変化させることにより、対応する磁気キー装置は、容器４００をロック解除するために、多様な特性を有する磁気アセンブリを必要とする。例えば、挿入部５２０、５２２が小さな直径を有するように製造され、挿入部５２４、５２６が大きい直径を有するように製造されると、挿入部５２０、５２２と磁気的に連結させるためにさらに大きな分離用磁石が必要であるのに対し、相対的に小さな分離用磁石は挿入部５２４、５２６と磁気的に連結する。
【００９３】
同様に、磁石６０４、６０６、６０８は、材料、大きさ、形状およびこれらの任意の組み合わせによって変化させることができる。例えば、磁石６０４、６０６、６０８は、フェライトまたはセミ−フェライト材料からなってもよく、磁石６０４、６０６、６０８と共に作用するように具体的に設計された挿入部６０４、６０６、６０８を備えている特定ロック部材５００と作用することができる。
【００９４】
いくつかの実施例において、容器４００をロックしたりロック解除したりするに要求される力は、小さくてよい。例えば、磁気キー装置６００の磁石６０４、６０６は、約０．６インチストロークを引き寄せることができる。例えば、磁石は、直径が２インチ、厚さが１．５インチ、およびＮＥＯ４２であってもよい。
【００９５】
実際に、容器４００は、ロック状態で実際の小売またはレンタル環境において展示されてもよい。また、ロック部材５００は、完全に容器４００の内部に位置するため、消費者にアクセスされたり、勝手に変更されたりしない。レジで、ロック解除のために、容器４００が磁気キー装置６００内に位置決めされ、消費者は、何も除去されていない全容器を持って家に帰るようになる。よって、小売業者またはレンタルショップにおいて貯蔵、再使用、リサイクル、または廃棄される必要のある別途のロック装置が発生されない。
【００９６】
容器３０と関連して、上述されたように、ロック可能な容器のロック状態またはロック解除状態を示すために、容器４００には、少なくとも一つのステイタスウインドゥが提供されてもよい。図２２に示すように、第１および第２カバー４０２、４０４は、各々の切り欠き部４６０、４６２を含むことができ、これらの切り欠き部は、容器４００を閉じた時、互いに結合してステイタスウインドゥ（図示せず）を形成し、容器のロック状態またはロック解除状態を示す。実施例において、ステイタスウインドゥを通じてユーザは、ロック部材５００の少なくとも一部分が見られる。
【００９７】
図２４に示すように、ロック部材５００の面上にある状態部５４０は、任意の公知の方法によりその面上に配置されるロック状態情報およびロック解除状態情報を含んでもよい。このような方法により、ロック部材５００がロック位置とロック解除位置との間でスライドするとき、適切な状態情報および結果的な容器４００の状態は、ユーザが読むステイタスウインドゥを通じて示されるようになる。例えば、状態部５４０は、何も示さず（例えば容器４００がロックされない場合）、ロック解除された状態であれば緑色を示し、ロック状態であれば赤色を示し、または任意の他の適切な情報を示すことができる。いくつかの実施例において、色インジケータは、ロック部材５００上に印刷されまたはシールなどによりその表面上に配置されたパッドであってもよい。そのため、ロック部材５００が、ロック位置にスライドすると、着色部（例えば赤色部）がステイタスウインドゥを通じて示されるようになり、ロック解除位置にスライドすると、他の着色部（例えば緑色部）がステイタスウインドゥを通じて示されるようになる。
【００９８】
上述された実施例において、磁気キー装置３００、６００は、単一ユニットである。このような実施例において、ユーザは、容器を、対応する磁気キー装置において適切に配向させることにより、当該容器３０と４００をロックおよびロック解除させる。他の方法として、磁気キー装置は、二つの異なるユニットに分離してもよい。一方のユニットは、連結器として作用し、他方のユニットは、分離器として作用する。好ましくは、連結器が分離器として作用するが、逆には作用しないように、連結器および分離器が構成および配置される。例えば、容器および磁気キー装置は、分離器が連結器として作用できないように“調整”されてもよい。これにより、店員が誤って容器を閉じるようになることが防止され、購入者が家についたとき容器を開けなくなることが防止される。好ましくは、容器および分離器を調整するために、容器の底部に位置する立ち上がりの停止部が容器に含まれる（図示せず）。分離器は、薄いスロートまたはトラックを含む（図示せず）。そのため、停止部を備えた容器の底部を店員が狭いスロート内部に挿入しようとすると、容器は合わなくなる。つまり、店員は、容器を分離機内において一配向にのみ入れることができ、従って、容器はロック解除のみができるようになる。同様に、連結器はさらに広いスロートを備えることができ、このスロートは、容器をロックできるようにするときに、容器の底部および停止部を受容できるほどに充分広い（図示せず）。連結器のスロートは、分離器のスロートよりさらに広いため、連結器はまた分離器として機能する。
【００９９】
実施例においては、二つのバージョンの磁気キー装置が備えられてもよい。一方のバージョンは、四つのマウントと、ＲＦＩＤまたはＥＡＳセキュリティタグなどを備えたさらに強固な分離器であってもよく、リースされてもよい。望ましく、セキュリティタグは、ＲＦまたはＡＭ（音響−磁気）活性化タグである。他方のバージョンは、小売業者が購入することができる低価格な分離器であってもよい。
【０１００】
セキュリティ上の理由により別途の連結器および分離器を調節して配布することが好ましい。例えば、連結器は、レプリケータ（例えば、小売販売のために容器をパックする人）にのみ提供されてもよい。分離器は、売場の店員（例えば、レジで計算する人）にのみ提供することができる。
【０１０１】
図３０は、本発明によって資産を安全に保管するための、また別のロック可能な容器７００の例示的な斜視図である。ロック可能容器７００のための対応ロック部材は、図３１および図３２に示されている。ロック可能な容器７００およびロック部材８００のアセンブリは図３３に示されている。ロック可能な容器７００およびロック部材８００は、実質的に上述されたロック可能な容器３０およびロック部材１００と類似している。
【０１０２】
特に、ロック部材８００は、複数の二重結合部（すなわち、部分８０８ないし部分８１３）を備え、この二重結合部は、容器７００の第２カバー７０４の関連タブと結合するように構成される。二重結合部８０６、８０７は、各々タブ７２０、７２２と結合するように構成され、二重結合部８０８、８０９は、各々タブ７２４、７２６と結合するように構成され、二重結合部８１０、８１１は、各々タブ７２８、７３０と結合するように構成され、二重結合部８１２、８１３は、各々タブ７３２、７３４と結合するように構成される。
【０１０３】
容器７００と容器３０との違いは、容器７００は、例えばカミソリの刃ような資産を受容するように、大きさが決定および設計されるという点である。例えば、図３３に示すように、容器７００は、カミソリの刃カートリッジを受容するための部分７０６、７０８を含んでもよい。さらに、小売施設（例えば、薬局）で容器７００を掛けておくために用いるホール７１０が容器７００に含まれてもよい。
【０１０４】
本発明によって資産を安全に保管するためのロック可能容器９００のさらに別の実施例が、図３４ないし図３７に例示されている。この容器９００には、図３１および図３２のロック部材８００と実質的に類似したロック部材９５０（図３６）が用いられる。ロール９１０（図３５）によって実証されているように、容器９００は、例えば、その中に複数の錠剤を安全に保管するに用いられる。ロール９１０は、容器９００の第１カバー９０２および第２カバー９０４の内部に固定される。ロック部材９５０は、第１カバー９０２および第２カバー９０４により形成された、容器９００の部分９０８内に存在する。適切な磁気キー装置と相互作用させることにより、ロック部材９５０の蓋保持部９５２は、蓋部９０６との連結が解けるようになる。これにより蓋部９０６は僅かに開き、容器９００の開口９１２を通じてロール９１０が引っ張られるようになる。そのため、ロール９１０から一つ以上の錠剤が開口９１２を介して分配されることができる。容器９００をロック状態にして錠剤がこれ以上開口９１２を介して分配されることができないようにするのため、容器を適切な磁気キー装置と相互作用させることができる。
【０１０５】
本発明によって資産を安全に保管するためのロック可能容器１０００のさらに別の実施例が、図３８ないし図４１に示されている。容器１０００には、図３１および図３２のロック部材８００と実質的に類似したロック部材１０５０が用いられることができる。例えば、容器１０００は、保存部１００２内に複数の錠剤を安全に保管するために用いられる。ロック部材１０５０は、保存部１００２によって形成された、容器１０００の部分１００８内に存在する。適切な磁気キー装置と相互作用させることにより、ロック部材１０５０の蓋保持部１０５２は、蓋部１００６との連結が解けるようになる。これにより、蓋部１００６が開き、錠剤が容器１０００の開口１０１２を介して利用されることができる。そのため、一つ以上の錠剤が開口１０１２を介して分配されることができる。容器１０００をロック状態にして錠剤がこれ以上開口１０１２を介して分配されることができないようにするために、容器を適切な磁気キー装置と相互作用させることができる。
【０１０６】
よって、一体型の内側ロック構造を備えたロック可能な容器の多様な実施例が提供される。本発明による容器およびロック部材は、一旦ロック部材が容器内に挿入されると、ロックされる容器を必要とする多くの分野に用いられるから有利である。容器をロックする必要がない分野に容器が用いられる必要がある場合、単にロックを活性化させない。このような容器は、消費者または小売業者に、追加的な費用が生じず、製造者またはレプリケータには最小限の僅かな費用だけしかかからないようになる。モールダ／レプリケータで僅かな調整を要することもあり、これは、部品当たり＄０．０４までの費用がかかるかもしれない。セキュリティシールの端のラベルはもはや必要なくなる場合があり、このようにセキュリティシールの端のラベルを節約することにより、このようなデメリットを打ち消すことができる。すべての部品からの収入は、ロイヤルティとして生じる。
【０１０７】
実際に、容器が成形されてロック部材がその中に挿入されると、容器はロックされない（すなわち、ロック部材は、閉鎖位置にない）。容器は、その後、常にロックされる。容器がロックされる必要がある場合、容器は、磁気キー装置の影響下に置かれ、例えばレプリケータによって複製された後（例えば、ディスク、ブックレットなどでパックされた後）ロックされる。
【０１０８】
前述した内容は、単に本発明の原理に対する例示に過ぎず、当業者は、本発明の範囲と思想を脱せず、多様な変形例が可能なことは当然である。例えば、例示のロック可能容器、例示のロック部材、および例示の磁気キー装置と関連した上述した特徴は、本明細書に記述された本発明の実施例のいずれにも含まれることができる。
【図面の簡単な説明】
【０１０９】
【図１】本発明に係るロック可能な容器の一例を簡略に示す斜視図。
【図２】本発明に係るストレージメディアを保管するロック可能な容器の一例を示す平面図。
【図３】本発明に係る図２のロック可能な容器の斜視図。
【図４】本発明に係るロック可能な容器のハブ構造の一例を示す斜視図。
【図５】本発明に係る図２のロック可能な容器に用いるロック部材の一例を示す斜視図。
【図６】本発明に係る図２のロック可能な容器に用いるロック部材の一例を示す斜視図。
【図７】本発明に係る図５のロック部材および図２のロック可能な容器のアセンブリを示す斜視図。
【図８】本発明に係る容器がロック解除状態にある図７のアセンブリを部分的に切り取った斜視図。
【図９】本発明に係る容器がロック解除状態にある図７のアセンブリを部分的に切り取った他の斜視図。
【図１０】本発明に係る容器がロック状態にある図７のアセンブリを部分的に切り取った斜視図。
【図１１】本発明に係る容器がロック状態にある図７のアセンブリを部分的に切り取った他の斜視図。
【図１２】本発明に係る容器がロック状態にある図７のアセンブリを部分的に切り取った他の斜視図。
【図１３】本発明に係る容器がロック状態にあることを示すステイタスウインドゥの一例を示す斜視図。
【図１４】本発明に係る容器がロック解除状態にあることを示すステイタスウインドゥの一例を示す斜視図。
【図１５】本発明に係る磁気キー装置の一例を示す分解斜視図。
【図１６】本発明に係るキー装置がロック解除状態にある図１５の磁気キー装置の斜視図。
【図１７】本発明に係るキー装置がロック状態にある図１５の磁気キー装置の斜視図。
【図１８】本発明に係る容器のロック位置での図７のロック可能な容器および図１５のキー装置の斜視図。
【図１９】本発明に係る容器のロック解除位置での図７のロック可能な容器および図１５のキー装置の斜視図。
【図２０】本発明に係るロック可能な容器の重複壁状の一例を示す斜視図。
【図２１】本発明に係るストレージメディアを保管するロック可能な容器の他の一例を示す平面図。
【図２２】本発明に係る図２１のロック可能な容器の斜視図。
【図２３】本発明に係る図２１のロック可能な容器に用いるロック部材の一例を示す斜視図。
【図２４】本発明に係る図２１のロック可能な容器に用いるロック部材の一例を示す斜視図。
【図２５】本発明に係る図２１のロック可能な容器のアセンブリおよび図２３のロック部材を示す斜視図。
【図２６】本発明に係る容器がロック解除状態にある図２５のアセンブリを部分的に切り取った斜視図。
【図２７】本発明に係る容器がロック状態にある図２５のアセンブリを部分的に切り取った斜視図。
【図２８】本発明に係る容器のロック位置におけるキー装置の一例および図２５のロック可能な容器の斜視図。
【図２９】本発明に係る容器のロック解除位置で図２５のロック可能な容器および図２８のキー装置の斜視図。
【図３０】資産を保管する本発明によるロック可能な容器のまた別の一例を示す斜視図。
【図３１】本発明に係る図３０のロック可能な容器のロック部材の一例を示す斜視図。
【図３２】本発明に係る図３０のロック可能な容器のロック部材の一例を示す斜視図。
【図３３】本発明に係る図３０のロック可能な容器と図３１のロック部材のアセンブリの斜視図。
【図３４】資産を保管する本発明によるロック可能な容器のさらにまた別の一例を示す斜視図。
【図３５】本発明に係る図３４の容器に用いるカプセルのロールの一例を示す斜視図。
【図３６】本発明に係る図３４の容器を簡略に示す断面図。
【図３７】本発明に係る図３４の容器の平面図。
【図３８】資産を保管する本発明によるロック可能な容器のまた別の一例を示す斜視図。
【図３９】容器の蓋が本発明によってどのように開放するかを示す図３８の容器の斜視図。
【図４０】本発明に係る図３８の容器を簡略に示す断面図。
【図４１】本発明に係る図３８の容器の平面図。
【図１】
0003137065.tif 000003
【図２】
0003137065.tif 000004
【図３】
0003137065.tif 000005
【図４】
0003137065.tif 000006
【図５】
0003137065.tif 000007
【図６】
0003137065.tif 000008
【図７】
0003137065.tif 000009
【図８】
0003137065.tif 000010
【図９】
0003137065.tif 000011
【図１０】
0003137065.tif 000012
【図１１】
0003137065.tif 000013
【図１２】
0003137065.tif 000014
【図１３】
0003137065.tif 000015
【図１４】
0003137065.tif 000016
【図１５】
0003137065.tif 000017
【図１６】
0003137065.tif 000018
【図１７】
0003137065.tif 000019
【図１８】
0003137065.tif 000020
【図１９】
0003137065.tif 000021
【図２０】
0003137065.tif 000022
【図２１】
0003137065.tif 000023
【図２２】
0003137065.tif 000024
【図２３】
0003137065.tif 000025
【図２４】
0003137065.tif 000026
【図２５】
0003137065.tif 000027
【図２６】
0003137065.tif 000028
【図２７】
0003137065.tif 000029
【図２８】
0003137065.tif 000030
【図２９】
0003137065.tif 000031
【図３０】
0003137065.tif 000032
【図３１】
0003137065.tif 000033
【図３２】
0003137065.tif 000034
【図３３】
0003137065.tif 000035
【図３４】
0003137065.tif 000036
【図３５】
0003137065.tif 000037
【図３６】
0003137065.tif 000038
【図３７】
0003137065.tif 000039
【図３８】
0003137065.tif 000040
【図３９】
0003137065.tif 000041
【図４０】
0003137065.tif 000042
【図４１】
0003137065.tif 000043
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
資産を保管するロック可能な容器において、
第１カバー、
第１カバーと結合され、第１カバーおよび第２カバーは、資産にアクセスできる開放位置と資産を入れる閉鎖位置との間を移動するように構成される第２カバー、
第１および第２カバーの少なくとも一方に動作可能に連結されたロック部材対応装置、および
ロック部材、
を含み、
ロック部材は、第１および第２カバーが開放位置へ移動することができるロック解除位置と、閉鎖位置において第１および第２カバーをロックするロック位置との間を移動するように構成され、また全ロック部材は、ロック解除位置において容器に内在されることを特徴とするロック可能な容器。
【請求項２】
請求項１において、ロック部材がロック位置にある場合、ロック部材がロック部材対応装置と係合することを特徴とするロック可能な容器。
【請求項３】
請求項１において、ロック部材がロック位置にある場合、ロック部材は、ロック部材対応装置と係合し、またロック部材は、外部キー装置によって作用されるように構成され、ロック部材対応装置と関連してロック位置とロック解除位置のいずれかにロック部材を選択的に位置させることを特徴とするロック可能な容器。
【請求項４】
請求項１において、第１カバーは、第２カバーに枢動可能に連結されることを特徴とするロック可能な容器。
【請求項５】
請求項１において、ロック部材対応装置は、第１および第２カバーの一部として形成され、またロック部材は、第２カバーに分離可能に連結されることを特徴とするロック可能な容器。
【請求項６】
請求項５において、ロック部材対応装置は、第１カバーに形成された少なくとも一つのタブと第２カバーに形成された少なくとも一つの対応タブを有することを特徴とするロック可能な容器。
【請求項７】
請求項６において、第１カバーに形成された少なくとも一つのタブと第２カバーに形成された少なくとも一つの対応タブは、第１および第２カバーが閉鎖位置にある場合、隣接関係にあることを特徴とするロック可能な容器。
【請求項８】
請求項７において、ロック部材の少なくとも一部は、陥凹部がその中に形成された、Ｉ−ビーム構造を有することを特徴とするロック可能な容器。
【請求項９】
請求項８において、第１カバーに形成された少なくとも一つのタブと第２カバーに形成された少なくとも一つの対応タブは、陥凹部に位置され、ロック部材がロック位置にある場合、分離しないことを特徴とするロック可能な容器。
【請求項１０】
請求項１において、第１カバーは、少なくとも一対の上部閉鎖壁を有し、第２カバーは、少なくとも一対の下部閉鎖壁を有し、また第１カバーが第２カバーに閉じられると、上部および下部の閉鎖壁各々が他の上部および下部の閉鎖壁各々の後ろに置かれるように配置され、上部および下部の閉鎖壁各々が、他の上部および下部の閉鎖壁の各々の高さの主要部分と実質的に重なり合うように二重壁を形成することを特徴とするロック可能な容器。
【請求項１１】
請求項１０において、少なくとも一対の上部閉鎖壁の各々と少なくとも一対の下部閉鎖壁の各々は、第１および第２カバーの各々の全幅を延ばすことを特徴とするロック可能な容器。
【請求項１２】
請求項１０において、少なくとも一対の上部閉鎖壁の各々と少なくとも一対の下部閉鎖壁の各々は、第１および第２カバーの各々の全幅を実質的に延ばすことを特徴とするロック可能な容器。
【請求項１３】
請求項１において、第１カバーは、少なくとも一対の上部閉鎖壁を有し、第２カバーは、第２カバーの後方で触れる上部および下部エッジを有し、また少なくとも一対の上部閉鎖壁は、各々のシーム部を形成するために上部および下部エッジにおいて第２カバーと触れることを特徴とするロック可能な容器。
【請求項１４】
請求項１において、第１カバーは、少なくとも一対の上部閉鎖壁を有し、第２カバーは、第２カバーの後方で実質的に触れる上部および下部エッジを有し、また少なくとも一対の上部閉鎖壁は、各々のシーム部を形成するために上部および下部エッジにおいて第２カバーと触れることを特徴とするロック可能な容器。
【請求項１５】
請求項１において、ロック部材がロック位置にある場合、ロック部材は、ロック部材対応装置と係合し、ロック部材は、外部キー装置によって作用するように構成され、ロック部材対応装置と関連してロック位置とロック解除位置のいずれかにロック部材を選択的に位置させ、またロック部材対応装置は、第１カバーの一部として形成され、ロック部材は、第２カバーに分離可能に連結されることを特徴とするロック可能な容器。
【請求項１６】
請求項１５において、ロック部材は、少なくとも一つのタブを有し、ロック部材対応装置は、少なくとも一つの対応ループを有することを特徴とするロック可能な容器。
【請求項１７】
請求項１６において、少なくとも一つのタブは、ロック部材がロック位置にある場合、少なくとも一つの対応ループを係合するように構成されることを特徴とするロック可能な容器。
【請求項１８】
請求項１６において、ロック部材は、単一成形構造を形成し、またロック部材は、熱可塑性樹脂ポリプロピレン、ＡＢＳ、ポリカーボネート、およびそれらの組み合わせから成る群より選択された材料で構成されることを特徴とするロック可能な容器。
【請求項１９】
請求項１５において、ロック部材は、少なくとも一つの係合構造を有し、ロック部材対応装置は、少なくとも一つの対応係合構造を有し、またロック部材の係合構造は、ロック部材対応装置の対応係合構造を係合するように構成されることを特徴とするロック可能な容器。
【請求項２０】
請求項１９において、ロック部材がロック位置およびロック解除位置に移動することを選択的に遮るように、ロック部材は停止装置を有することを特徴とするロック可能な容器。
【請求項２１】
請求項２０において、ロック部材の少なくとも一つの係合構造は、外部キー装置の対応第１磁石装置と磁気的に相互作用するように構成された少なくとも一つの第１磁気誘引部を有することを特徴とするロック可能な容器。
【請求項２２】
請求項２１において、停止装置は、ロック状態にバイアスされた少なくとも一つの弾性のロック位置フランジを有し、容器は、対応ロック位置タブを有し、またロック位置フランジは、対応ロック位置タブを選択的に係合するように構成され、一旦ロック位置にある場合、ロック部材がロック解除位置にスライドすることを防止することを特徴とするロック可能な容器。
【請求項２３】
請求項２２において、弾性のロック位置フランジは、外部キー装置の対応第２磁石装置と磁気的に相互作用するように構成された少なくとも一つの第２磁気誘引部を有し、第２磁気誘引部と外部キー装置の第２磁石装置との間の磁気相互作用は、弾性のロック位置フランジを外部キー装置の方に曲げるようにすることを特徴とするロック可能な容器。
【請求項２４】
請求項２１において、第１磁気誘引部は、鋼ピン、金属ピン、金属挿入部、磁気挿入部、およびそれらの組み合わせから成る群より選択されることを特徴とするロック可能な容器。
【請求項２５】
請求項２３において、第２磁気誘引部は、鋼ピン、金属ピン、金属挿入部、磁気挿入部、およびそれらの組み合わせから成る群より選択されることを特徴とするロック可能な容器。
【請求項２６】
請求項２１において、停止装置は、ロック解除状態にバイアスされた少なくとも一つの弾性のロック解除位置フランジを有し、容器は、対応ロック解除位置タブを有し、またロック解除位置フランジは、対応ロック解除位置タブを選択的に係合するように構成され、一旦ロック解除位置にある場合、ロック部材がロック位置にスライドすることを防止することを特徴とするロック可能な容器。
【請求項２７】
請求項２６において、弾性のロック解除位置フランジは、外部キー装置の対応第３磁石装置と磁気的に相互作用するように構成された少なくとも一つの第３磁気誘引部を有し、第３磁気誘引部と外部キー装置の第３磁石装置との間の磁気相互作用は、弾性のロック解除位置フランジを外部キー装置の方に曲げるようにすることを特徴とするロック可能な容器。
【請求項２８】
請求項２３において、停止装置は、ロック解除状態にバイアスされた少なくとも一つの弾性のロック解除位置フランジを有し、また弾性のロック解除位置フランジは、外部キー装置の第２磁石装置と磁気的に相互作用するように構成された少なくとも一つの第３磁気誘引部を有し、第３磁気誘引部と外部キー装置の第２磁石装置との間の磁気相互作用は、弾性のロック解除位置フランジを外部キー装置の方に曲げるようにすることを特徴とするロック可能な容器。
【請求項２９】
請求項２０において、外部キー装置は、ロック部材をロック位置およびロック解除位置に選択的に移動させるために、少なくとも一つの対応係合構造とロック部材の少なくとも一つの停止装置と相互作用することを特徴とするロック可能な容器。
【請求項３０】
請求項２９において、外部キー装置は、少なくとも一つの対応する係合構造と少なくとも一つの停止装置と同時に相互作用することを特徴とするロック可能な容器。
【請求項３１】
請求項１において、ロック部材がロック位置にある場合、ロック部材は、ロック部材対応装置と係合し、またロック部材は、外部磁気キー装置によって作用されるように構成され、ロック部材対応装置と関連して、ロック位置とロック解除位置のいずれかにロック部材を選択的に位置させることを特徴とするロック可能な容器。
【請求項３２】
請求項１において、第１および第２カバーが閉鎖位置にある場合、ロック部材が容器の外部から見えないことを特徴とするロック可能な容器。
【請求項３３】
請求項１において、容器は、標準ライブラリケースのサイズに形成されることを特徴とするロック可能な容器。
【請求項３４】
請求項１において、容器は、プラスチック、金属、木材、ポリマー、熱可塑性樹脂、ポリプロピレン、ＡＢＳ、ポリカーボネート、およびそれらの組み合わせから成る群より選択された材料で構成されることを特徴とするロック可能な容器。
【請求項３５】
請求項１において、第１および第２カバーの少なくとも一方は、ユーザに容器内の資産が見られるように構成された透明部を有することを特徴とするロック可能な容器。
【請求項３６】
請求項１において、第１および第２カバーの少なくとも一方は、ユーザに資産と関連する資料を表示するための透明ジャケットを有することを特徴とするロック可能な容器。
【請求項３７】
請求項１において、第１および第２カバーの少なくとも一方は、容器内に資産を保持するために構成された保管機構を有することを特徴とするロック可能な容器。
【請求項３８】
請求項１において、容器は、少なくとも一つのステイタスウインドゥを有し、ロック部材は、インジケータを有し、インジケータは、ロック部材の位置に応じて容器のロック解除またはロック状態をステイタスウインドゥによりユーザに伝えるように構成されることを特徴とするロック可能な容器。
【請求項３９】
資産を保管するロック可能な容器において、
ロック位置受容部を有するベース部、
容器に資産を入れるようにベース部に枢動可能に連結されたカバー、
少なくとも一つのカバーおよびベース部に連結され、少なくとも一つのタブ部を有するロック部材対応装置、および
少なくとも一つのカバーおよびベース部にスライド可能に連結され、容器内に全体的に配列され、またベース部にカバーを固定するためにロック部材対応装置に分離可能に連結されるように構成されて容器内に資産を保持するロック部材を含み、ロック部材は、
少なくとも一つのタブ部を係合するように構成された少なくとも一つの係合構造、
外部キー装置の対応第１磁石装置と磁気的に相互作用するように構成された少なくとも一つの第１磁気誘引部、および
ロック状態にバイアスされた少なくとも一つの弾性ロック位置フランジをさらに含み、
ロック位置フランジは、ロック部材がロック位置にある場合、ロック部材がロック解除位置にスライドすることを防止するためにロック位置受容部を選択的に係合するように構成され、また
ロック部材は、ロック部材対応装置と関連してロック位置とロック解除位置のいずれかにロック部材を選択的に位置させるために、外部キー装置によって作用されるように構成されることを特徴とする、資産を保管するロック可能な容器。
【請求項４０】
容器のロックおよびロック解除の少なくとも一方を行うキー装置において、
容器を受容するように構成され、容器のロックおよびロック解除の少なくとも一方を行うように構成された少なくとも一つの磁石装置を有する受容装置、
処理処置、
容器のロック状態を感知し、ロック状態に従って処理装置に信号を伝えるように構成されたロック／ロック解除感知装置、および
容器のロック状態をユーザに伝えるように構成され、処理装置と通信するユーザインターフェース装置を含むことを特徴とするキー装置。
【請求項４１】
請求項４０において、上記キー装置は、さらに、キー装置をカウンター上部に装着するように構成された装着板を含むことを特徴とするキー装置。
【請求項４２】
請求項４０において、さらに、適切な検知器によって検知されるように構成された少なくとも一つのＡＭおよびＲＦ活性可能なセキュリティタグを含むことを特徴とするキー装置。
【請求項４３】
請求項４０において、さらに、ユーザがキー装置の所在を追跡することができるように構成された少なくとも一つのＲＦＩＤラベルを含むことを特徴とするキー装置。
【請求項４４】
請求項４０において、さらに、データベース機能により識別化、直列化、ウェブサーバーを含むことを特徴とするキー装置。
【請求項４５】
請求項４４において、データベースの特徴は、シリアル番号、店名、権限を有するユーザの氏名、キー装置の販売日、キー装置のリース日、およびそれらの組み合わせから成る群より選択された情報をエンコードするためにバーコードを含むことを特徴とするキー装置。
【請求項４６】
請求項４０において、さらに、権限を有しないユーザがキー装置を変更すると、外部キー装置を行うことができないように構成された承認拒否装置を含むことを特徴とするキー装置。
【請求項４７】
請求項４０において、受容装置は、容器をロックするために容器を受容するように構成されることを特徴とするキー装置。
【請求項４８】
請求項４０において、受容装置は、キー装置の動作を選択的に防止するように構成された停止部材を有することを特徴とするキー装置。
【請求項４９】
請求項４０において、容器のロック状態は、聴覚インジケータ、視覚インジケータ、触覚インジケータ、光学インジケータ、およびそれらの組み合わせを用いてユーザに伝えることを特徴とするキー装置。
【請求項５０】
資産を保管および資産にアクセスする装置において、
第１カバー、容器内に資産を入れるように第１カバーに枢動可能に連結された第２カバー、第１および第２カバーの少なくとも一方に連結されたロック部材対応装置、および第１および第２カバーの少なくとも一方にスライド可能に連結され、第１カバーを第２カバーに固定するようにロック部材対応装置に分離可能に連結されるように構成されて、容器内に資産を保持するロック部材を有する資産を保管するロック可能な容器、および
容器のロックおよびロック解除の少なくとも一方を行い、容器を受容するように構成された受容装置を有し、また容器のロックおよびロック解除の少なくとも一方を行うように構成された少なくとも一つの磁石装置を有するキー装置を含み、
ロック部材は、ロック部材対応装置と関連してロック位置とロック解除位置のいずれかにロック部材を選択的に位置させるために、外部キー装置により作用されるように構成され、また
全ロック部材は、ロック解除位置において容器に内在することを特徴とする装置。
【請求項５１】
資産を保管するロック可能な容器において、
第１カバー、
第１カバーと結合された第２カバー、第１および第２カバーは資産にアクセスすることができる開放位置と資産を入れる閉鎖位置との間を移動するように構成され、
第１カバーに連結された少なくとも一つのタブ部、
第２カバーに連結された少なくとも一つの対応タブ部、および
第１および第２カバーの少なくとも一方に動作可能に連結されたロック部材を含み、ロック部材はトラップ部とリリース部を有し、
ロック部材は、第１および第２カバーが開放位置に移動することができるロック解除位置と閉鎖位置において容器をロックするロック位置との間を移動するように構成され、また全ロック部材はロック解除位置において容器に内在することを特徴とする容器。
【請求項５２】
請求項５１において、ロック部材は、ロック位置において、少なくとも一つのタブ部および少なくとも一つの対応タブ部がトラップ部に位置されて分離することを防止するように構成されることを特徴とする容器。
【請求項５３】
請求項５２において、少なくとも一つのタブ部と少なくとも一つの対応タブ部は、トラップ部に位置されると、隣接関係で相互に対向することを特徴とする容器。
【請求項５４】
請求項５１において、ロック解除位置において、少なくとも一つのタブ部と少なくとも一つの対応タブ部は、リリース部に位置されて分離するように、ロック部材が構成されることを特徴とする容器。
【請求項５５】
請求項５１において、上部カバーは少なくとも二つのタブ部を有し、下部カバーは少なくとも二つの対応タブ部を有し、またロック部材は、ロック部材の対向側面上に位置された少なくとも一対のトラップ部を有することを特徴とする容器。
【請求項５６】
請求項５５において、ロック位置において、少なくとも二つのタブ部の一方と少なくとも二つの対応タブ部の一方が隣接関係で少なくとも一対のトラップ部の一方に位置され、また少なくとも二つのタブ部の他方と少なくとも二つの対応タブ部の他方が隣接関係で少なくとも一対のトラップ部の他方に位置されるように容器が構成され、また少なくとも二つのタブ部が少なくとも二つの対応タブ部から分離することを防止することを特徴とする容器。
【請求項５７】
請求項５１において、ロック部材がロック位置にある場合、容器内に置かれてアクセス不可能な電子セキュリティタグをさらに含むことを特徴とする容器。
【請求項５８】
請求項５１において、第１カバーは少なくとも一対の上部閉鎖壁を有し、第２カバーは少なくとも一対の下部閉鎖壁を含み、また第１カバーが第２カバーに閉じられると、上部および下部の閉鎖壁各々が他の上部および下部の閉鎖壁の各々の後ろに置かれるように上部および下部の閉鎖壁が配置され、上部および下部の閉鎖壁の各々が他の上部および下部の閉鎖壁の各々の高さの主要部分と実質的に重なり合うように二重壁を形成することを特徴とする容器。
【請求項５９】
請求項５８において、少なくとも一対の上部閉鎖壁の各々と少なくとも一対の下部閉鎖壁の各々は、第１および第２カバーの各々の全幅を延ばすことを特徴とする容器。
【請求項６０】
請求項５８において、少なくとも一対の上部閉鎖壁の各々と少なくとも一対の下部閉鎖壁の各々は、第１および第２カバーの各々の全幅を実質的に延ばすことを特徴とする容器。
【請求項６１】
請求項５１において、第１カバーは少なくとも一対の上部閉鎖壁を有し、第２カバーは第２カバーの後方で触れる上部および下部エッジを有し、また少なくとも一対の上部閉鎖壁は各々のシーム部を形成するために、上部および下部エッジにおいて第２カバーと触れることを特徴とする容器。
【請求項６２】
請求項５１において、第１カバーは少なくとも一対の上部閉鎖壁を有し、第２カバーは第２カバーの後方で実質的に触れる上部および下部エッジを有し、また少なくとも一対の上部閉鎖壁は各々のシーム部を形成するために、上部および下部エッジにおいて第２カバーと触れることを特徴とする容器。
【請求項６３】
資産を保管するロック可能な容器において、資産にアクセスすることができる開放構造と資産を入れる閉鎖構造を有する受容部、
受容部に動作可能に連結されたロック部材対応装置、および
ロック部材を含み、
ロック部材は、受容部が開放構造にあるロック解除位置と閉鎖構造において受容部をロックするロック位置との間を移動するように構成され、また全ロック部材は、ロック解除位置において容器に内在することを特徴とするロック可能な容器。
【請求項６４】
容器のロックおよびロック解除の少なくとも一方を行うキー装置において、容器は、資産にアクセスすることができる開放構造と資産を入れる閉鎖構造を有する受容部を有し、また容器は、受容部が開放構造にあるロック解除位置と閉鎖構造において受容部をロックするロック位置との間を移動するように構成されたロック部材を有し、ロック部材は、少なくとも一つの磁気誘引部を有し、キー装置は、
容器を受容するために構成されたチャンネル部、および
容器がチャンネルを介してスライドする間、少なくとも一つの磁気装置により発生した磁場内にロック部材の少なくとも一つの磁気誘引部を保持し、ロック位置およびロック解除位置の少なくとも一つにロック部材を位置させるように構成された少なくとも一つの磁気装置を含むことを特徴とするキー装置。
【請求項６５】
請求項６４において、ロック部材は、第１および第２磁気誘引部を有し、キー装置は、
さらに第１および第２磁気装置を含み、第１磁気装置は、第１磁気装置により発生した磁場内に、ロック部材の第１磁気誘引部を保持するために構成され、また第２磁気装置は、第２磁気装置により発生した磁場内に、ロック部材の第２磁気誘引部を保持するために構成されることを特徴とするキー装置。
【請求項６６】
請求項６５において、チャンネル部は、その間にチャンネルを形成する第１壁部および第２壁部を含み、第１磁気装置は、第１壁部内に置かれ、また第２磁気装置は、第２壁部内に置かれることを特徴とするキー装置。
【請求項６７】
請求項６５において、チャンネル部は、その間にチャンネルを形成する第１壁部および第２壁部を含み、チャンネルは、第１端部および第２端部を有し、第１磁気装置は、チャンネルの第１端部において第１壁部内に置かれ、また第２磁気装置は、チャンネルの第２端部において第２壁部内に置かれることを特徴とするキー装置。
【手続補正書】
【提出日】平成19年9月6日(2007.9.6)
【手続補正１】
【補正対象書類名】実用新案登録請求の範囲
【補正対象項目名】全文
【補正方法】変更
【補正の内容】
【実用新案登録請求の範囲】
【請求項１】
資産を保管するロック可能な容器において、
第１カバーと、
第１カバーと結合され、資産にアクセスできる開放位置と資産を入れる閉鎖位置との間を移動するように構成される第２カバーと、
第１および第２カバーの少なくとも一方に結合されたロック部材対応装置と、
第１および第２カバー内に配置され、前記ロック部材対応装置と係合するロック部材と、
を含み、
ロック部材は、第１および第２カバーが開放位置へ移動することができるロック解除位置と、閉鎖位置において第１および第２カバーをロックするロック位置との間を移動するように構成され、また全ロック部材は、ロック解除位置において容器に内在されることを特徴とするロック可能な容器。
【請求項２】
請求項１において、ロック部材がロック位置にある場合、ロック部材がロック部材対応装置と係合することを特徴とするロック可能な容器。
【請求項３】
請求項１において、ロック部材がロック位置にある場合、ロック部材は、ロック部材対応装置と係合し、またロック部材は、外部キー装置によって作用されるように構成され、ロック部材対応装置と関連してロック位置とロック解除位置のいずれかにロック部材を選択的に位置させることを特徴とするロック可能な容器。
【請求項４】
請求項１において、第１カバーは、第２カバーに枢動可能に連結されることを特徴とするロック可能な容器。
【請求項５】
請求項１において、ロック部材対応装置は、第１および第２カバーの一部として形成され、またロック部材は、第２カバーに分離可能に連結されることを特徴とするロック可能な容器。
【請求項６】
請求項５において、ロック部材対応装置は、第１カバーに形成された少なくとも一つのタブと第２カバーに形成された少なくとも一つの対応タブを有することを特徴とするロック可能な容器。
【請求項７】
請求項６において、第１カバーに形成された少なくとも一つのタブと第２カバーに形成された少なくとも一つの対応タブは、第１および第２カバーが閉鎖位置にある場合、隣接関係にあることを特徴とするロック可能な容器。
【請求項８】
請求項７において、ロック部材の少なくとも一部は、陥凹部がその中に形成された、Ｉ−ビーム構造を有することを特徴とするロック可能な容器。
【請求項９】
請求項８において、第１カバーに形成された少なくとも一つのタブと第２カバーに形成された少なくとも一つの対応タブは、陥凹部に位置され、ロック部材がロック位置にある場合、分離しないことを特徴とするロック可能な容器。
【請求項１０】
請求項１において、第１カバーは、少なくとも一対の上部閉鎖壁を有し、第２カバーは、少なくとも一対の下部閉鎖壁を有し、また第１カバーが第２カバーに閉じられると、上部および下部の閉鎖壁各々が他の上部および下部の閉鎖壁各々の後ろに置かれるように配置され、上部および下部の閉鎖壁各々が、他の上部および下部の閉鎖壁の各々の高さの主要部分と実質的に重なり合うように二重壁を形成することを特徴とするロック可能な容器。
【請求項１１】
請求項１０において、少なくとも一対の上部閉鎖壁の各々と少なくとも一対の下部閉鎖壁の各々は、第１および第２カバーの各々の全幅を延ばすことを特徴とするロック可能な容器。
【請求項１２】
請求項１０において、少なくとも一対の上部閉鎖壁の各々と少なくとも一対の下部閉鎖壁の各々は、第１および第２カバーの各々の全幅を実質的に延ばすことを特徴とするロック可能な容器。
【請求項１３】
請求項１において、第１カバーは、少なくとも一対の上部閉鎖壁を有し、第２カバーは、第２カバーの後方で触れる上部および下部エッジを有し、また少なくとも一対の上部閉鎖壁は、各々のシーム部を形成するために上部および下部エッジにおいて第２カバーと触れることを特徴とするロック可能な容器。
【請求項１４】
請求項１において、第１カバーは、少なくとも一対の上部閉鎖壁を有し、第２カバーは、第２カバーの後方で実質的に触れる上部および下部エッジを有し、また少なくとも一対の上部閉鎖壁は、各々のシーム部を形成するために上部および下部エッジにおいて第２カバーと触れることを特徴とするロック可能な容器。
【請求項１５】
請求項１において、ロック部材がロック位置にある場合、ロック部材は、ロック部材対応装置と係合し、ロック部材は、外部キー装置によって作用するように構成され、ロック部材対応装置と関連してロック位置とロック解除位置のいずれかにロック部材を選択的に位置させ、またロック部材対応装置は、第１カバーの一部として形成され、ロック部材は、第２カバーに分離可能に連結されることを特徴とするロック可能な容器。
【請求項１６】
請求項１５において、ロック部材は、少なくとも一つのタブを有し、ロック部材対応装置は、少なくとも一つの対応ループを有することを特徴とするロック可能な容器。
【請求項１７】
請求項１６において、少なくとも一つのタブは、ロック部材がロック位置にある場合、少なくとも一つの対応ループを係合するように構成されることを特徴とするロック可能な容器。
【請求項１８】
請求項１６において、ロック部材は、単一成形構造を形成し、またロック部材は、熱可塑性樹脂ポリプロピレン、ＡＢＳ、ポリカーボネート、およびそれらの組み合わせから成る群より選択された材料で構成されることを特徴とするロック可能な容器。
【請求項１９】
請求項１５において、ロック部材は、少なくとも一つの係合構造を有し、ロック部材対応装置は、少なくとも一つの対応係合構造を有し、またロック部材の係合構造は、ロック部材対応装置の対応係合構造を係合するように構成されることを特徴とするロック可能な容器。
【請求項２０】
請求項１９において、ロック部材がロック位置およびロック解除位置に移動することを選択的に遮るように、ロック部材は停止装置を有することを特徴とするロック可能な容器。
【請求項２１】
請求項２０において、ロック部材の少なくとも一つの係合構造は、外部キー装置の対応第１磁石装置と磁気的に相互作用するように構成された少なくとも一つの第１磁気誘引部を有することを特徴とするロック可能な容器。
【請求項２２】
請求項２１において、停止装置は、ロック状態にバイアスされた少なくとも一つの弾性のロック位置フランジを有し、容器は、対応ロック位置タブを有し、またロック位置フランジは、対応ロック位置タブを選択的に係合するように構成され、一旦ロック位置にある場合、ロック部材がロック解除位置にスライドすることを防止することを特徴とするロック可能な容器。
【請求項２３】
請求項２２において、弾性のロック位置フランジは、外部キー装置の対応第２磁石装置と磁気的に相互作用するように構成された少なくとも一つの第２磁気誘引部を有し、第２磁気誘引部と外部キー装置の第２磁石装置との間の磁気相互作用は、弾性のロック位置フランジを外部キー装置の方に曲げるようにすることを特徴とするロック可能な容器。
【請求項２４】
請求項２１において、第１磁気誘引部は、鋼ピン、金属ピン、金属挿入部、磁気挿入部、およびそれらの組み合わせから成る群より選択されることを特徴とするロック可能な容器。
【請求項２５】
請求項２３において、第２磁気誘引部は、鋼ピン、金属ピン、金属挿入部、磁気挿入部、およびそれらの組み合わせから成る群より選択されることを特徴とするロック可能な容器。
【請求項２６】
請求項２１において、停止装置は、ロック解除状態にバイアスされた少なくとも一つの弾性のロック解除位置フランジを有し、容器は、対応ロック解除位置タブを有し、またロック解除位置フランジは、対応ロック解除位置タブを選択的に係合するように構成され、一旦ロック解除位置にある場合、ロック部材がロック位置にスライドすることを防止することを特徴とするロック可能な容器。
【請求項２７】
請求項２６において、弾性のロック解除位置フランジは、外部キー装置の対応第３磁石装置と磁気的に相互作用するように構成された少なくとも一つの第３磁気誘引部を有し、第３磁気誘引部と外部キー装置の第３磁石装置との間の磁気相互作用は、弾性のロック解除位置フランジを外部キー装置の方に曲げるようにすることを特徴とするロック可能な容器。
【請求項２８】
請求項２３において、停止装置は、ロック解除状態にバイアスされた少なくとも一つの弾性のロック解除位置フランジを有し、また弾性のロック解除位置フランジは、外部キー装置の第２磁石装置と磁気的に相互作用するように構成された少なくとも一つの第３磁気誘引部を有し、第３磁気誘引部と外部キー装置の第２磁石装置との間の磁気相互作用は、弾性のロック解除位置フランジを外部キー装置の方に曲げるようにすることを特徴とするロック可能な容器。
【請求項２９】
請求項２０において、外部キー装置は、ロック部材をロック位置およびロック解除位置に選択的に移動させるために、少なくとも一つの対応係合構造とロック部材の少なくとも一つの停止装置と相互作用することを特徴とするロック可能な容器。
【請求項３０】
請求項２９において、外部キー装置は、少なくとも一つの対応する係合構造と少なくとも一つの停止装置と同時に相互作用することを特徴とするロック可能な容器。
【請求項３１】
請求項１において、ロック部材がロック位置にある場合、ロック部材は、ロック部材対応装置と係合し、またロック部材は、外部磁気キー装置によって作用されるように構成され、ロック部材対応装置と関連して、ロック位置とロック解除位置のいずれかにロック部材を選択的に位置させることを特徴とするロック可能な容器。
【請求項３２】
請求項１において、第１および第２カバーが閉鎖位置にある場合、ロック部材が容器の外部から見えないことを特徴とするロック可能な容器。
【請求項３３】
請求項１において、容器は、標準ライブラリケースのサイズに形成されることを特徴とするロック可能な容器。
【請求項３４】
請求項１において、容器は、プラスチック、金属、木材、ポリマー、熱可塑性樹脂、ポリプロピレン、ＡＢＳ、ポリカーボネート、およびそれらの組み合わせから成る群より選択された材料で構成されることを特徴とするロック可能な容器。
【請求項３５】
請求項１において、第１および第２カバーの少なくとも一方は、ユーザに容器内の資産が見られるように構成された透明部を有することを特徴とするロック可能な容器。
【請求項３６】
請求項１において、第１および第２カバーの少なくとも一方は、ユーザに資産と関連する資料を表示するための透明ジャケットを有することを特徴とするロック可能な容器。
【請求項３７】
請求項１において、第１および第２カバーの少なくとも一方は、容器内に資産を保持するために構成された保管機構を有することを特徴とするロック可能な容器。
【請求項３８】
請求項１において、容器は、少なくとも一つのステイタスウインドゥを有し、ロック部材は、インジケータを有し、インジケータは、ロック部材の位置に応じて容器のロック解除またはロック状態をステイタスウインドゥによりユーザに伝えるように構成されることを特徴とするロック可能な容器。
【請求項３９】
資産を保管するロック可能な容器において、
ロック位置受容部を有するベース部、
容器に資産を入れるようにベース部に枢動可能に連結されたカバー、
少なくとも一つのカバーおよびベース部に連結され、少なくとも一つのタブ部を有するロック部材対応装置、および
少なくとも一つのカバーおよびベース部にスライド可能に連結され、容器内に全体的に配列され、またベース部にカバーを固定するためにロック部材対応装置に分離可能に連結されるように構成されて容器内に資産を保持するロック部材を含み、ロック部材は、
少なくとも一つのタブ部を係合するように構成された少なくとも一つの係合構造、
外部キー装置の対応第１磁石装置と磁気的に相互作用するように構成された少なくとも一つの第１磁気誘引部、および
ロック状態にバイアスされた少なくとも一つの弾性ロック位置フランジをさらに含み、
ロック位置フランジは、ロック部材がロック位置にある場合、ロック部材がロック解除位置にスライドすることを防止するためにロック位置受容部を選択的に係合するように構成され、また
ロック部材は、ロック部材対応装置と関連してロック位置とロック解除位置のいずれかにロック部材を選択的に位置させるために、外部キー装置によって作用されるように構成されることを特徴とする、資産を保管するロック可能な容器。
【請求項４０】
資産を保管および資産にアクセスする装置において、
第１カバー、容器内に資産を入れるように第１カバーに枢動可能に連結された第２カバー、第１および第２カバーの少なくとも一方に連結されたロック部材対応装置、および第１および第２カバーの少なくとも一方にスライド可能に連結され、第１カバーを第２カバーに固定するようにロック部材対応装置に分離可能に連結されるように構成されて、容器内に資産を保持するロック部材を有する資産を保管するロック可能な容器、および
容器のロックおよびロック解除の少なくとも一方を行い、容器を受容するように構成された受容装置を有し、また容器のロックおよびロック解除の少なくとも一方を行うように構成された少なくとも一つの磁石装置を有するキー装置を含み、
ロック部材は、ロック部材対応装置と関連してロック位置とロック解除位置のいずれかにロック部材を選択的に位置させるために、外部キー装置により作用されるように構成され、また
全ロック部材は、ロック解除位置において容器に内在することを特徴とする装置。
【請求項４１】
資産を保管するロック可能な容器において、
第１カバー、
第１カバーと結合された第２カバー、第１および第２カバーは資産にアクセスすることができる開放位置と資産を入れる閉鎖位置との間を移動するように構成され、
第１カバーに連結された少なくとも一つのタブ部、
第２カバーに連結された少なくとも一つの対応タブ部、および
第１および第２カバーの少なくとも一方に動作可能に連結されたロック部材を含み、ロック部材はトラップ部とリリース部を有し、
ロック部材は、第１および第２カバーが開放位置に移動することができるロック解除位置と閉鎖位置において容器をロックするロック位置との間を移動するように構成され、また全ロック部材はロック解除位置において容器に内在することを特徴とする容器。
【請求項４２】
請求項４１において、ロック部材は、ロック位置において、少なくとも一つのタブ部および少なくとも一つの対応タブ部がトラップ部に位置されて分離することを防止するように構成されることを特徴とする容器。
【請求項４３】
請求項４２において、少なくとも一つのタブ部と少なくとも一つの対応タブ部は、トラップ部に位置されると、隣接関係で相互に対向することを特徴とする容器。
【請求項４４】
請求項４１において、ロック解除位置において、少なくとも一つのタブ部と少なくとも一つの対応タブ部は、リリース部に位置されて分離するように、ロック部材が構成されることを特徴とする容器。
【請求項４５】
請求項４１において、上部カバーは少なくとも二つのタブ部を有し、下部カバーは少なくとも二つの対応タブ部を有し、またロック部材は、ロック部材の対向側面上に位置された少なくとも一対のトラップ部を有することを特徴とする容器。
【請求項４６】
請求項４５において、ロック位置において、少なくとも二つのタブ部の一方と少なくとも二つの対応タブ部の一方が隣接関係で少なくとも一対のトラップ部の一方に位置され、また少なくとも二つのタブ部の他方と少なくとも二つの対応タブ部の他方が隣接関係で少なくとも一対のトラップ部の他方に位置されるように容器が構成され、また少なくとも二つのタブ部が少なくとも二つの対応タブ部から分離することを防止することを特徴とする容器。
【請求項４７】
請求項４１において、ロック部材がロック位置にある場合、容器内に置かれてアクセス不可能な電子セキュリティタグをさらに含むことを特徴とする容器。
【請求項４８】
請求項４１において、第１カバーは少なくとも一対の上部閉鎖壁を有し、第２カバーは少なくとも一対の下部閉鎖壁を含み、また第１カバーが第２カバーに閉じられると、上部および下部の閉鎖壁各々が他の上部および下部の閉鎖壁の各々の後ろに置かれるように上部および下部の閉鎖壁が配置され、上部および下部の閉鎖壁の各々が他の上部および下部の閉鎖壁の各々の高さの主要部分と実質的に重なり合うように二重壁を形成することを特徴とする容器。
【請求項４９】
請求項４８において、少なくとも一対の上部閉鎖壁の各々と少なくとも一対の下部閉鎖壁の各々は、第１および第２カバーの各々の全幅を延ばすことを特徴とする容器。
【請求項５０】
請求項４８において、少なくとも一対の上部閉鎖壁の各々と少なくとも一対の下部閉鎖壁の各々は、第１および第２カバーの各々の全幅を実質的に延ばすことを特徴とする容器。
【請求項５１】
請求項４１において、第１カバーは少なくとも一対の上部閉鎖壁を有し、第２カバーは第２カバーの後方で触れる上部および下部エッジを有し、また少なくとも一対の上部閉鎖壁は各々のシーム部を形成するために、上部および下部エッジにおいて第２カバーと触れることを特徴とする容器。
【請求項５２】
請求項４１において、第１カバーは少なくとも一対の上部閉鎖壁を有し、第２カバーは第２カバーの後方で実質的に触れる上部および下部エッジを有し、また少なくとも一対の上部閉鎖壁は各々のシーム部を形成するために、上部および下部エッジにおいて第２カバーと触れることを特徴とする容器。
【請求項５３】
資産を保管するロック可能な容器において、資産にアクセスすることができる開放構造と資産を入れる閉鎖構造を有する受容部、
受容部に動作可能に連結されたロック部材対応装置、および
ロック部材を含み、
ロック部材は、受容部が開放構造にあるロック解除位置と閉鎖構造において受容部をロックするロック位置との間を移動するように構成され、また全ロック部材は、ロック解除位置において容器に内在することを特徴とするロック可能な容器。
【請求項５４】
容器のロックおよびロック解除の少なくとも一方を行うキー装置において、容器は、資産にアクセスすることができる開放構造と資産を入れる閉鎖構造を有する受容部を有し、また容器は、受容部が開放構造にあるロック解除位置と閉鎖構造において受容部をロックするロック位置との間を移動するように構成されたロック部材を有し、ロック部材は、少なくとも一つの磁気誘引部を有し、キー装置は、
容器を受容するために構成されたチャンネル部、および
容器がチャンネルを介してスライドする間、少なくとも一つの磁気装置により発生した磁場内にロック部材の少なくとも一つの磁気誘引部を保持し、ロック位置およびロック解除位置の少なくとも一つにロック部材を位置させるように構成された少なくとも一つの磁気装置を含むことを特徴とするキー装置。
【請求項５５】
請求項５４において、ロック部材は、第１および第２磁気誘引部を有し、キー装置は、
さらに第１および第２磁気装置を含み、第１磁気装置は、第１磁気装置により発生した磁場内に、ロック部材の第１磁気誘引部を保持するために構成され、また第２磁気装置は、第２磁気装置により発生した磁場内に、ロック部材の第２磁気誘引部を保持するために構成されることを特徴とするキー装置。
【請求項５６】
請求項５５において、チャンネル部は、その間にチャンネルを形成する第１壁部および第２壁部を含み、第１磁気装置は、第１壁部内に置かれ、また第２磁気装置は、第２壁部内に置かれることを特徴とするキー装置。
【請求項５７】
請求項５５において、チャンネル部は、その間にチャンネルを形成する第１壁部および第２壁部を含み、チャンネルは、第１端部および第２端部を有し、第１磁気装置は、チャンネルの第１端部において第１壁部内に置かれ、また第２磁気装置は、チャンネルの第２端部において第２壁部内に置かれることを特徴とするキー装置。